(57)【特許請求の範囲】
【請求項１】
電子部品が実装された回路基板を収納した基板収納ケースと、前記回路基板からの信号に基づいて動作する諸装置と、を本体内部に配置した遊技台であって、
遊技台本体の内壁面に固定される固定部及び所定形状の係止部を備えるケース取付本体部と、該ケース取付本体部に対して移動可能であって前記係止部に係止して前記ケース取付本体部に取り付けた前記基板収納ケースを拘止するコネクタカバーと、で構成されたケース取付装置を備えており、
前記基板収納ケースは、内部の空間に回路基板を収納するための部材であって、前部カバー部材と後部カバー部材とを組み合わせて構成され、
前記基板収納ケースには、前記前部カバー部材と前記後部カバー部材とを一体化したときに、両者を封止するセフティロックピンを挿通する案内孔を形成するための案内部を設けるとともに、前記ケース取付装置に固定するかしめピンを挿通する挿着孔を形成するための案内部を設け、
前記挿着孔は、前記前部カバー部材と前記後部カバー部材とを組み合わせて形成するものであり、前記後部カバー部材側の挿着孔と、前記前部カバー部材側の挿着孔とを連通させて構成し、
前記前部カバー部材には、内部空間を拡大するための膨出部を設け、この膨出部を形成する基板部は、起立片が立ち上がる第１の基板部と、当該膨出部の底または蓋となる第２の基板部とを有し、前記第１の基板部と第２の基板部との間を側辺部がつないで全体として内部に空間を有した部材となり、かつ前記第２の基板部と第１の基板部とが前記基板収納ケースの前面部を形成し、
前記回路基板にコネクタ部を設け、このコネクタ部にフラットケーブルに設けた接続コネクタを嵌合させて、前記回路基板と諸装置とを接続し、
前記コネクタ部と接続コネクタとの嵌合部分を、着脱可能なコネクタカバーで覆い、
前記コネクタ部は、開放位置と閉止位置に変位可能なロックレバーを備え、該ロックレバーが開放位置にあるときは、前記コネクタカバーを装着できないように構成し、
前記コネクタカバーは、前記コネクタ部と前記接続コネクタとの嵌合部分を覆う第１装着位置と、前記嵌合部分の近傍にあって前記接続コネクタの着脱に支障のない第２装着位置と、に変位可能であり、
前記コネクタカバーには、前記フラットケーブルを取り出すための引出口と、
この引出口の反対側に位置して、当該コネクタカバーが前記第１装着位置と第２装着位置との間を移動するときに、前記コネクタ部に嵌合させた前記接続コネクタの先端が係止することなく通過可能な切り欠きとが形成され、
当該コネクタカバーが前記第１装着位置にあるときに前記切り欠きが前記膨出部で覆われることを特徴とする遊技台。
【発明の詳細な説明】
【技術分野】
【０００１】
本発明は、スロットマシン（パチスロ）、パチンコ機に代表される遊技台に関するものである。
【背景技術】
【０００２】
遊技台の一つとして、例えばスロットマシンが従来より知られている。このスロットマシンは、一般に、複数種類の絵柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段とを備え、入賞役に内部当選した場合であって、停止時のリールによって表示される絵柄の組合せが、内部当選した入賞役に対応して予め定めた絵柄の組合せである場合に、その入賞役に入賞し、払い出しが必要な場合には所定数のメダルを払い出す遊技台である。
【０００３】
スロットマシン等の遊技台は、この遊技台の内部で行なわれる内部抽選によって入賞の当否か決定され、抽選結果に対応した遊技結果になるように制御される。この遊技の進行に関する制御は、遊技台本体の内部に設けられたマイクロコンピュータにより制御される。
【０００４】
そこで、マイクロコンピュータが実装された回路基板は、外部からの不正行為を防止するために透明な樹脂製の基板収納ケースに収められ、ケースを開閉する際に痕跡が残るような封印が施されている。このような基板収納ケースの一例として、例えば特許文献１がある。
【０００５】
【特許文献１】特許第３６５５２９３号公報
【発明の開示】
【発明が解決しようとする課題】
【０００６】
しかしながら、近年では、基板収納ケースを開けることなく、回路基板と諸装置とを接続するケーブルのコネクタ部分を利用して、不正な基板を追加する不正行為が横行している。
本発明は、上記のような問題点に鑑み、不正行為を行い難くかつ不正行為を発見し易い、安全な遊技台を提供することを目的とする。
【課題を解決するための手段】
【０００８】
前記課題を解決するために、請求項１に係る発明は、電子部品が実装された回路基板を収納した基板収納ケースと、前記回路基板からの信号に基づいて動作する諸装置と、を本体内部に配置した遊技台であって、遊技台本体の内壁面に固定される固定部及び所定形状の係止部を備えるケース取付本体部と、該ケース取付本体部に対して移動可能であって前記係止部に係止して前記ケース取付本体部に取り付けた前記基板収納ケースを拘止するコネクタカバーと、で構成されたケース取付装置を備えており、前記基板収納ケースは、内部の空間に回路基板を収納するための部材であって、前部カバー部材と後部カバー部材とを組み合わせて構成され、前記基板収納ケースには、前記前部カバー部材と前記後部カバー部材とを一体化したときに、両者を封止するセフティロックピンを挿通する案内孔を形成するための案内部を設けるとともに、前記ケース取付装置に固定するかしめピンを挿通する挿着孔を形成するための案内部を設け、前記挿着孔は、前記前部カバー部材と前記後部カバー部材とを組み合わせて形成するものであり、前記後部カバー部材側の挿着孔と、前記前部カバー部材側の挿着孔とを連通させて構成し、前記前部カバー部材には、内部空間を拡大するための膨出部を設け、この膨出部を形成する基板部は、起立片が立ち上がる第１の基板部と、当該膨出部の底または蓋となる第２の基板部とを有し、前記第１の基板部と第２の基板部との間を側辺部がつないで全体として内部に空間を有した部材となり、かつ前記第２の基板部と第１の基板部とが前記基板収納ケースの前面部を形成し、前記回路基板にコネクタ部を設け、このコネクタ部にフラットケーブルに設けた接続コネクタを嵌合させて、前記回路基板と諸装置とを接続し、前記コネクタ部と接続コネクタとの嵌合部分を、着脱可能なコネクタカバーで覆い、前記コネクタ部は、開放位置と閉止位置に変位可能なロックレバーを備え、該ロックレバーが開放位置にあるときは、前記コネクタカバーを装着できないように構成し、前記コネクタカバーは、前記コネクタ部と前記接続コネクタとの嵌合部分を覆う第１装着位置と、前記嵌合部分の近傍にあって前記接続コネクタの着脱に支障のない第２装着位置と、に変位可能であり、前記コネクタカバーには、前記フラットケーブルを取り出すための引出口と、この引出口の反対側に位置して、当該コネクタカバーが前記第１装着位置と第２装着位置との間を移動するときに、前記コネクタ部に嵌合させた前記接続コネクタの先端が係止することなく通過可能な切り欠きとが形成され、当該コネクタカバーが前記第１装着位置にあるときに前記切り欠きが前記膨出部で覆われることを特徴とする
【発明の効果】
【００１９】
請求項１に係る発明によれば、フラットケーブルと回路基板との接続部分を覆うことができ、コネクタ部分を利用して不正な基板を追加することが困難であり、不正行為に対する安全性が高い。また、フラットケーブルの接続忘れを防止することができる。さらに、コネクタカバーの切り欠きを閉塞することができ、安全性がより高くなる。
【発明を実施するための最良の形態】
【００２９】
電子部品が実装された回路基板を収納した基板収納ケースと、前記回路基板からの信号に基づいて動作する諸装置と、を本体内部に配置し、前記回路基板にコネクタ部を設け、このコネクタ部にフラットケーブルに設けた接続コネクタを嵌合させて、前記回路基板と諸装置とを接続し、前記コネクタ部と接続コネクタとの嵌合部分を、着脱可能なコネクタカバーで覆い、前記コネクタ部は、開放位置と閉止位置に変位可能なロックレバーを備え、該ロックレバーが開放位置にあるときは、前記コネクタカバーを装着できないように構成し、前記コネクタカバーを装着する方向を、前記コネクタ部と前記接続コネクタとの嵌合状態を強める方向とした。
【実施例】
【００３０】
＜全体の構成＞
図１は、本発明の実施例に係る遊技台としてのスロットマシン１００の外観を示す斜視図である。
【００３１】
図１に示すスロットマシン１００の本体２０１の中央内部には、外周面に複数種類の絵柄が配置されたリールが３個（左リール１１０、中リール１１１、右リール１１２）収納され、スロットマシン１００の内部で回転できるように構成されている。本実施例において、各絵柄は帯状部材に等間隔で適当数（例えば２１絵柄）印刷され、この帯状部材が所定の円形枠材に貼り付けられて各リール１１０乃至１１２が構成されている。
【００３２】
前面扉１０２には絵柄表示窓１１３が設けられており、リール１１０乃至１１２上の絵柄は、遊技者から見ると、絵柄表示窓１１３から縦方向に概ね３つ表示され、合計９つの絵柄が見えるようになっている。そして、各リール１１０乃至１１２を回転させることにより、遊技者から見える絵柄の組み合せが変動することとなる。なお、本実施例では、３個のリールをスロットマシン１００の中央内部に備えているが、リールの数やリールの設置位置はこれに限定されるものではない。
【００３３】
また、各々のリール１１０乃至１１２の背面には、絵柄表示窓１１３に表示される個々の絵柄を照明するためのバックライト（図示省略）が配置されている。バックライトは、各々の絵柄ごとに遮蔽されて個々の絵柄を均等に照射できるようにすることが望ましい。
【００３４】
なお、スロットマシン１００内部において各々のリール１１０乃至１１２の近傍には、投光部と受光部から成る光学式センサ（図示せず）が設けられており、この光学式センサの投光部と受光部のあいだを、リールに設けられた一定の長さの遮光片が通過するように構成されている。このセンサの検出結果に基づいてリール上の絵柄の回転方向の位置を判断し、目的とする絵柄が入賞ライン１１４上に表示されるようにリール１１０乃至１１２を停止させる。
【００３５】
入賞ライン表示ランプ１２０は、有効となる入賞ラインを示すランプである。有効となる入賞ラインは、スロットマシン１００に投入された遊技媒体（本実施例ではメダルを想定する。）の数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００３６】
スタートランプ１２１は、リール１１０乃至１１２が回転することができる状態にあることを遊技者に知らせるランプである。再遊技ランプ１２２は、前回の遊技において入賞役の一つである再遊技に入賞した場合に、今回の遊技が再遊技可能であること（メダルの投入が不要）を遊技者に知らせるランプである。
【００３７】
告知ランプ１２３は、後述する内部抽選において、特定の入賞役（具体的には、ビッグボーナスやレギュラーボーナス等のボーナス）に内部当選していることを遊技者に知らせるランプである。メダル投入ランプ１２４は、メダルの投入が可能であることを知らせるランプである。リールパネルランプ１２８は、演出用のランプである。メダル投入ボタン１３０、１３１は、スロットマシン１００に電子的に貯留されているメダルを所定の枚数分投入するためのボタンである。
【００３８】
本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。
【００３９】
払出枚数表示器１２５は、何らかの入賞役に入賞した結果、遊技者に払出されるメダルの枚数を表示するための表示器である。遊技回数表示器１２６は、ビッグボーナスゲーム中（ＢＢゲーム中）の遊技回数や所定の入賞役の入賞回数等を表示するための表示器である。貯留枚数表示器１２７は、スロットマシン１００に電子的に貯留されているメダルの枚数を表示するための表示器である。
【００４０】
スタートレバー１３５は、遊技の開始操作として、各リール１１０〜１１２の回転を開始させるレバー型のスイッチである。
【００４１】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチである。なお、各ストップボタン１３７乃至１３９の内部に発光体を設けてもよく、ストップボタン１３７乃至１３９の操作が可能である場合、該発光体を点灯させて遊技者に知らせることもできる。
【００４２】
貯留／精算ボタン１３２は、スロットマシン１００に電子的に貯留されたメダルを精算し、メダル払出口１５５よりメダル受皿１７０に排出するための精算機能と、メダル投入口１３４に投入された４枚以降のメダルや入賞により獲得したメダルを最大５０枚まで電子的に貯留する貯留機能と、を切換えるためのボタンである。
【００４３】
メダル返却ボタン１３３は、投入されたメダルが詰まった場合に押下してメダルを取り除くためのボタンである。なお、前記スタートレバー１３５、ストップボタン１３７乃至１３９、貯留／精算ボタン１３２は、遊技者の操作を受け付けるための手段を構成する。
【００４４】
ドアキー１４０は、スロットマシン１００の前面扉１０２のロックを解除するためのキーを挿入する孔である。メダル払出口１５５は、メダルを払出すための払出口である。メダル受皿１７０は、メダル払出口１５５から払出されたメダルを溜めるための器である。なお、メダル受皿１７０は、本実施例では発光可能な受皿を採用しており、以下受皿ランプ１７０と呼ぶこともある。
【００４５】
音孔１６０は、スロットマシン１００内部に設けられているスピーカの音を外部に出力するための孔である。上部ランプ１５０、サイドランプ１５１、中央ランプ１５２、腰部ランプ１５３、下部ランプ１５４、受皿ランプ１７０は、遊技を盛り上げるための装飾用のランプであり、遊技状態に応じて点灯／消灯／点滅する。また、メダル受皿１７０には、着脱可能に構成した灰皿ユニット１８０が設けられている。
【００４６】
リールパネル１６１は、絵柄表示窓１１３を有するパネルであり、タイトルパネル１６２は、そのスロットマシンの機種名や各種のデザインが描かれるパネルである。演出装置６００は、本実施例では扉付きの液晶表示装置である。
【００４７】
＜制御部＞
次に、図３を参照してスロットマシンの制御部の構成について説明する。
【００４８】
本実施例における制御部は、全体を制御する主制御部３００と、遊技を盛り上げるための演出に関する制御等を遂行する副制御部４００と、演出装置６００を制御する液晶・扉制御部（図示省略）で構成されている。
【００４９】
＜主制御部３００＞
マイクロプロセッサ（以下、ＭａｉｎＣＰＵと称す）３１０は、スロットマシン１００における制御の中枢となるものであり、バス３７０を介して、周辺部との間で制御信号やデータの受渡が行われる。
【００５０】
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。
【００５１】
ＭａｉｎＣＰＵ３１０には、入力インターフェース３６０およびバス３７０を介して、メダル投入口ブロック１３４の投入口から投入されたメダルを検知するメダルセンサ３２０、スタートレバー１３５の操作を検知するスタートレバーセンサ３２１、ストップボタン１３７〜１３９のいずれかが押された場合、どのストップボタンが押されたかを検知するストップボタンセンサ３２２、及び、メダル投入ボタン１３０，１３１のいずれかが押下された場合、どのメダル投入ボタンが押されたかを検知するメダル投入ボタンセンサ３２３、精算ボタン１３２の押下に伴って動作する精算ボタンスイッチ３２４が接続されている。
【００５２】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。
【００５３】
また、各リール１１０〜１１２の回転と停止を行うモーター（図示省略）を制御するモーター制御部３３０、及び、メダル払出装置（いわゆる、ホッパー：図示省略）を制御するホッパー制御部３３１が、入出力インターフェース３３２及びバス３７０を介してＭａｉｎＣＰＵ３１０に接続されている。
【００５４】
演出用ランプ・表示器類３４０とは、図１で示した入賞ライン表示ランプ１２０、スタートランプ１２１、再遊技ランプ１２２等のランプ類や、払出枚数表示器１２５、遊技回数表示器１２６等の各種表示器をまとめて表したもので、出力インターフェース３４２およびバス３７０を介してＭａｉｎＣＰＵ３１０に接続されている。
【００５５】
出力インターフェース３５０は、ＭａｉｎＣＰＵ３１０の指示に基づき、各種のコマンドを副制御部４００の入力インターフェース４４０へ送信する。コマンドには、例えば、メダルが投入されたことを示すコマンド、スタートレバー１３５が操作されたことを示すコマンド、押されたストップボタン１３７〜１３９を示すコマンド、演出の内容（バックライト、上部ランプ１５０、音声出力、演出装置６００等による演出の内容）を規定したコマンド等がある。
【００５６】
＜副制御部４００＞
マイクロプロセッサ（以下、ＳｕｂＣＰＵと称す）４１０は、主制御部３００から送信された各種コマンドを入力インターフェース４４０およびバス４３０を介して受信し、受信したコマンドの内容に応じて副制御部４００全体を制御する。
【００５７】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００５８】
バックライト４２０は、リールの絵柄を照らすライトで、ＳｕｂＣＰＵ４１０の指示に従って点灯／点滅／消灯する。演出用ランプ４２１は、上部ランプ１５０、サイドランプ１５１、中央ランプ１５２、腰部ランプ１５３、下部ランプ１５４、受皿ランプ（メダル受皿１７０に設置）をまとめて表したもので、ＳｕｂＣＰＵ４１０の指示に従って点灯／点滅／消灯する。バックライト４２０および演出用ランプ４２１は、出力インターフェース４２２を介してバス４３０を経てＳｕｂＣＰＵ４１０と接続されている。
【００５９】
出力インターフェース４５０は、ＳｕｂＣＰＵ４１０の指示に基づき、各種制御データを液晶・扉制御部（図示省略）へ送信する。この制御データに基づいて、液晶・扉制御部は、演出装置６００を制御する。
【００６０】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカ及び中央スピーカ）４６２から音として出力される。
【００６１】
＜遊技の基本的制御＞
図４は、本実施例のスロットマシン１００における遊技の基本的制御を示すフローチャートである。
遊技の基本的制御は、ＭａｉｎＣＰＵ３１０が中心になって行い、電源断等を検知しないかぎり、同図の処理を繰り返し実行する。
【００６２】
先ず、Ｓ１０１では、メダル投入処理として、メダルの投入数に応じた入賞ライン表示ランプ１２０の点灯等を行う。なお、メダル投入ボタン１３０，１３１によるクレジットによる投入も、メダル投入口ブロック１３４の投入口から、実際のメダルを投入する場合も同等に処理する。
【００６３】
Ｓ１０２では、遊技のスタート操作に関する処理を行う。スタートレバー１３５が操作された場合、投入されたメダル枚数を確定する。次いで、Ｓ１０３では、確定されたメダル枚数に基づいて、有効な入賞ライン１１４を確定する。
【００６４】
Ｓ１０４では、乱数発生器３１１で発生させた乱数値を取得する。
Ｓ１０５では、ＲＯＭ３１２に格納されている抽選データテーブルと、Ｓ１０４で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００６５】
Ｓ１０６では、例えば、演出装置６００においてどのような演出を行うか決めたり、ゲームを盛り上げるためキャラクター等を登場させる、演出抽選処理を行う。
【００６６】
Ｓ１０７では、Ｓ１０４で取得した乱数値を用いて、リール停止制御テーブルを選択し、各リール１１０〜１１２の回転を開始させる。
【００６７】
Ｓ１０８では、ストップボタン１３７〜１３９の受付が可能になり、いずれかのストップボタンが押されると、押されたストップボタンに対応するリールを、Ｓ１０５で選択したリール停止制御テーブルに基づいて停止させる。
【００６８】
Ｓ１０９では、入賞判定を行う。ここでは、有効化された入賞ライン１１４上に、入賞役に対応する絵柄組合せが表示された場合にその入賞役に入賞したと判定する。例えば、有効化された入賞ライン１１４上に、例えば「ベル−ベル−ベル」が揃っていたならば、ベル入賞と判定する。また、例えば「青７−青７−青７」が揃っていたならば、ＢＢ入賞と判定する。
【００６９】
Ｓ１１０では、払い出しのある何らかの入賞役に入賞していれば、その入賞役に対応する枚数のメダルを払い出す。
【００７０】
Ｓ１１１では、遊技状態を制御する。例えば、ＢＢ入賞時には、次の遊技からＢＢゲームが開始されるように準備をし、ＢＢ終了時には、次の遊技から通常の遊技が開始されるように準備させる。
【００７１】
＜本体内部構造＞
次に、本実施例のスロットマシン１００の内部構成について説明する。
図２は、スロットマシン１００の内部構成を示す斜視図である。本体２０１は、キャビネット２１０内に、基板収納ケース５００及びリールユニット２２０や、図示を省略した電源ボックス、メダル払出装置、補助収納ケース、中央スピーカユニット、副制御基板、外部中継端子板等の諸装置が配設されている。
【００７２】
キャビネット２１０は、天板２１１、底板２１２、背板２１３、及び左右の側板２１４からなる木製の箱体である。背板２１３の上部には排気口２１０ａが開設され、下部には吸気口２１０ｂが開設されている。また、キャビネット２１０内には、リールユニット２２０を設置するためのリールユニット載置台２１８が設けられている。
【００７３】
リールユニット２２０は、例えば図２や図１６に示すように、樹脂製のケース２２１（リールフレーム２２１）内にステッピングモータで駆動されるリール１１０乃至１１２を個別に着脱可能に取り付けて構成している。樹脂ケース２２１の傾斜上面には、他の制御部と接続するための中継機能を有するリール基板２２２と、リール基板カバー２２３が装着されている。そして、このリールユニット２２０は、リールフレーム２２１により３本のリールをユニット化し、キャビネット２１０に設けたリールユニット載置台２１８に対する着脱を容易に行えるように構成している。
【００７４】
基板収納ケース５００は、キャビネット２１０を構成する背板２１３の上部に、後述するケース取付装置７００を介して取り付けられている透明な樹脂ケースであって、内部空間にスロットマシン１００の全体的な制御を行う主制御部３００を構成する電気部品を実装した主制御基板５０３を収納している。この基板収納ケース５００の詳細については後述する。
【００７５】
図示を省略した電源ボックスは、キャビネット２１０の背板２１３の壁面に装着された金属製のケース内にスロットマシン１００の諸装置へ必要な電力を供給するための電源基板（図示せず）を収納している。また、リールユニット載置台２１８には、図示していないが、スロットマシン１００の電源スイッチと併せて設定値変更許可スイッチが、当該スイッチが操作し易いよう配慮して併設されている。
【００７６】
なお、設定値変更許可スイッチは、いわゆるキースイッチであり、キー孔に所定のキーを挿入して、時計回りに９０度回転させるとオン状態となり、キーを戻して初期状態にするとオフ状態になる。電源スイッチは、つまみを上に向けると、オン状態になり、つまみを戻すとオフ状態になる。
【００７７】
また、諸装置の一つである図示していないメダル払出装置は、メダルを払い出すための装置（いわゆるホッパー）である。メダル払出装置は、ＤＣモーターで駆動されメダルを１枚ずつ払い出すとともにメダルを払い出す毎に検出信号を出力する払出装置本体と、払出装置本体にメダルを供給するとともにメダルを蓄積するタンクとで構成されている。更に、メダル払出装置の横には、図示していないが補助収納ケースが置かれており、前記メダル払出装置がメダルでいっぱいになると、余分なメダルは流れ落ち、この補助収納ケース内に蓄積される。
【００７８】
図示を省略した背面スピーカユニットは、キャビネット２１０の背板２１３に設けられたスピーカと、スピーカからの効果音を前面扉１０２の音孔１６０まで案内するためのスピーカダクトとで構成されている。そして、スピーカから出力される中低音は、スロットマシン１００の背面から出力されるとともにスピーカダクトを介して音孔１６０からも出力される。
【００７９】
図２において図示を省略した副制御基板は、キャビネット２１０の内側面に装着され、効果音、演出用ランプ、リールバックランプ、演出表示部等で実行される演出を制御する副制御部４００を構成する電気部品を実装した制御基板である。副制御基板は、後述の基板収納ケース５００に収納された主制御基板５０３の送信する制御コマンドに従って演出を制御する。
【００８０】
図示していないが外部中継端子板は、スロットマシン１００から出力される遊技情報をホールコンピュータに送信するためのインターフェース基板である。そして、この外部中継端子板から出力される遊技情報は、ホールコンピュータに送られて集計される。
【００８１】
＜基板収納ケース＞
次に、本実施例のスロットマシン１００の基板収納ケース５００について説明する。
【００８２】
この実施例における基板収納ケース５００は、内部の空間に回路基板（例えば、主制御基板５０３）を収納するための部材であって、例えば図５に示すように、第１のカバー部材５１０（以下、前部カバー部材５１０ということがある。）と、第２のカバー部材５２０（以下、後部カバー部材５２０ということがある。）とを組み合わせて構成する。これらの前部カバー部材５１０と後部カバー部材５２０とは、互いに分離可能であるが、後述する封印手段により、一旦封止したのちは、痕跡を残さずに分離できなくなるように構成してある。なお、前部カバー部材５１０及び後部カバー部材５２０は、透光性樹脂を用いて成形されており、内部に収納した主制御基板５０３を視認可能になっている。なお、この透光性樹脂は、前記したリールユニット２２０の樹脂ケース２２１と同じ材質である。
【００８３】
前部カバー部材５１０と後部カバー部材５２０とは、組み合せることによって前記回路基板である主制御基板５０３を収納するための空間を形成する箱体となり、前面部５９１と、この前面部に対向する背面部５９２と、前記前面部５９１と前記背面部との間に立設された側面部５９３とを備える。そして、前部カバー部材５１０及び後部カバー部材５２０のそれぞれには、後述するが両者を一体とするために必要な組付連結部５３１と組付係止部５３２とが形成されている。
【００８４】
そこで、前部カバー部材５１０は、ほゞ矩形に形成した基板部５１１の各側縁部分から前記側面部５９３となる起立片５９３１を立ち上げた部材である。また、図示の実施例では、基板部５１１に膨出部５１２を形成して内部空間を拡大している。このため、基板部５１１は、起立片５９３１が立ち上がる第１の基板部５１１ａと、膨出部５１２の底或いは蓋となる第２の基板部５１１ｂとが存在し、前記第１の基板部５１１ａと第２の基板部５１１ｂと間を側辺部５１１ｃがつなぎ、全体として内部に空間を有した部材となる。なお、前記第２の基板部５１１ｂと第１の基板部５１１ａとは、基板収納ケース５００の前面部５９１を形成する。
【００８５】
一方、後部カバー部材５２０は、ほゞ矩形に形成したベース部５２１の各側縁部分から立上り片５９３２を立ち上げたほゞ角皿状の部材である。なお、ベース部５２１は前記基板収納ケース５００の背面部５９２を形成する。
【００８６】
前記組付連結部５３１は、前部カバー部材５１０側に設けられたフック部５３１ａと後部カバー部材５２０側に設けられたヒンジ部５３１ｂとで構成されている。即ち、前部カバー部材５１０の下縁側（例えば図５において下側）の起立片５９３１の外端部分から突出状に設けたフック部５３１ａと、後部カバー部材５２０の下縁側（例えば図５において下側）の立上り片５９３２の外端部分から係合空間を形成するように突設したヒンジ部５３１ｂとで、組付連結部５３１を構成している。
【００８７】
そこで、基板収納ケース５００を組み立てる際には、先ず、これらのフック部５３１ａとヒンジ部５３１ｂとを係合する。なお、この実施例では、前記組付連結部５３１は、前部カバー部材５１０及び後部カバー部材５２０の下縁側にそれぞれ２箇所形成されている（図５では一部隠れている）。
【００８８】
前記組付係止部５３２は、前部カバー部材５１０側に設けられた係止舌片部５３２ａと後部カバー部材５２０側に設けられた舌片受部５３２ｂとで構成されている。即ち、組付係止部５３２は、前部カバー部材５１０の上縁側の起立片５９３１の先端部分から後部カバー部材５２０の立上り片５９３２に被さるように突設した係止孔を有するほゞコ字状の係止舌片部５３２ａと、この係止舌片部５３２ａの係止孔の縁に係止可能なように後部カバー部材５２０の立上り片５９３２の上面に突設した舌片受部５３２ｂとからなる。そして、この実施例では、前記組付係止部５３２は、前記組付連結部５３１の反対側である前部カバー部材５１０及び後部カバー部材５２０の上縁側にそれぞれ２箇所形成されている。
【００８９】
そこで、基板収納ケース５００を組み立てる際には、組付連結部５３１を組み合せ、前部カバー部材５１０と後部カバー部材５２０とを合わせて、組付係止部５３２の係止舌片部５３２ａを舌片受部５３２ｂに係止させることで一体化することができる。即ち、前部カバー部材５１０のフック部５３１ａを、後部カバー部材５２０のヒンジ部５３１ｂに係止させることにより蝶番状に組付連結部５３１を組み合わせると共に、起立片５９３１の前端面と立上り片５９３２の前端面とが当接するように前部カバー部材５１０と後部カバー部材５２０とを組み合わせる。すると、前部カバー部材５１０の係止舌片部５３２ａが後部カバー部材５２０の舌片受部５３２ｂに係止して、前部カバー部材５１０と後部カバー部材５２０が一体に組み合わされ、内部に空間部を有する基板収納ケース５００となる。
【００９０】
なお、この実施例においては、前記したように、起立片５９３１の前端面と立上り片５９３２の前端面とが当接する部分に、環状の当接部が生じるが、この当接部は、前部カバー部材５１０の基板部５１１と、後部カバー部材５２０のベース部５２１とのほゞ中間に位置し、起立片５９３１と立上り片５９３２とが合わさって、基板収納ケース５００の側面部５９３を形成することになる。
【００９１】
そして、前部カバー部材５１０及び後部カバー部材５２０には、両者を分離できないように封印するための封印手段と、基板収納ケース５００をスロットマシン１００のキャビネット２１０内に固定するためにケース固定手段と、が形成されている。なお、キャビネット２１０の所定の位置に、後述するケース取付装置７００を設け、このケース取付装置７００に対してケース固定手段によって、基板収納ケース５００を固定する。
【００９２】
前部カバー部材５１０には、主制御基板５０３のコネクタ部５０４−１、５０４−２、５０４−３、５０４−４（以下、単にコネクタ部５０４ということがある。）が臨むコネクタ孔５４０−１、５４０−２、５４０−３、５４０−４（以下、単にコネクタ孔５４０ということがある。）が所定の位置にそれぞれ設けられている。そして、各コネクタ孔５４０から配線材としての例えばフラットケーブル９００の先端に設けた接続コネクタ９１０を主制御基板５０３のコネクタ部５０４に接続し、主制御基板５０３と外部機器との接続を図っている。なお、コネクタ部５０４の構造については後述する。
【００９３】
具体的には、例えば図５において、膨出部５１２の右側部分の第１基板部５１１ａには、主制御基板５０３とモータ駆動基板（図示せず）とを接続するために主制御基板５０３に設けた第１のコネクタ部５０４−１が臨む第１のコネクタ孔５４０−１を開設している。一方、前部カバー部材５１０の第１基板部５１１ａの膨出部５１２の左側部分には、主制御基板５０３と扉中継基板（図示せず）とを接続するために主制御基板５０３に設けた第２のコネクタ部５０４−２が臨む第２のコネクタ孔５４０−２、及び主制御基板５０３と副制御基板（図示せず）とを接続するために主制御基板５０３に設けた第３のコネクタ部５０４−３が臨む第３のコネクタ孔（図５では隠れている）を開設している。なお、第２コネクタ部５０４−２及び第３のコネクタ部５０４−３のように、複数のコネクタ部が隣接して配置される場合については後述する。また、膨出部５１２の上方部分に、第４のコネクタ孔５４０−４が開設され、第４のコネクタ部５０４−４が臨んでいるが、この第４のコネクタ部５０４−４は、試験装置を接続するときに利用する。
【００９４】
前部カバー部材５１０及び後部カバー部材５２０の内側には、主制御基板５０３を位置決めするための工夫がなされている。即ち、位置決め手段として、例えば図５に示す実施例では、矩形に形成されている主制御基板５０３の各縁部が係止して支持する段部を形成した係止リブ５５１が、後部カバー部材５２０の上下左右の各辺に沿ってベース部５２１と立上り片５９３２との間に、それぞれ適宜な間隔を開けて、下辺及び左右の側辺にはそれぞれ２箇所、及び上辺には３箇所に設けてある。また、後部カバー部材５２０のベース部５２１のほゞ四隅には、一部ネジ孔を備えるネジ筒部５５２が配設してあり、前記係止リブ５５１と共に、主制御基板５０３を支持する。更に、図示の実施例においては、主制御基板５０３に設けた通称ロム（ＲＯＭ）５０５と呼ばれる遊技台において最も重要なＩＣ（集積回路）を配置する部分に相当する箇所に、支持ピン５５３がベース部５２１から２本突設してあり、前記ロム５０５を主制御基板５０３に着脱する際に当該制御基板５０３が撓まないようになっている。
【００９５】
そして、前記したような係止リブ５５１を設けた後部カバー部材５２０によれば、主制御基板５０３を前記係止リブ５５１及びネジ筒部５５２に載せるだけで、当該主制御基板５０３を後部カバー部材５２０のベース部５２１及び立上り片５９３２から浮かせた状態で所定の位置に支持することができる。しかも、主制御基板５０３の四隅に設けた挿通孔５０６に、ネジを挿通し、このネジをネジ筒部５５２のネジ孔に螺合させれば、前部カバー部材５１０を装着しなくても主制御基板５０３を後部カバー部材５２０の所定に位置に固定することが可能である。従って、主制御基板５０３の試験・検査等の際に便利である。なお、ネジの挿通及び螺合は、仮止めであるから何れか１個所で行えば充分である。
【００９６】
また、この実施例においては、前部カバー部材５１０側にも位置決め手段を設けている。即ち、図５の円内に示すように、前部カバー部材５１０の内側に、位置決め固定ピン５５４を突設し、この位置決め固定ピン５５４を主制御基板５０３の四隅に開設した位置決め孔としての挿通孔５０６に嵌合させ、更に前記した後部カバー部材５２０に設けたネジ筒部５５２のネジ孔に嵌合するように構成している。従って、先に、主制御基板５０３を前部カバー部材５１０に対して位置決めしておくことができる。また、前記したように、位置決め孔として主制御基板５０３の四隅に開設した挿通孔５０６を利用して、主制御基板５０３を後部カバー部材５２０にネジを用いることなく固定可能である。
【００９７】
基板収納ケース５００には、第１のカバー部材（前部カバー部材５１０）と、第２のカバー部材（後部カバー部材５２０）とを一体化したときに、両者を封止するための封止手段である後述する結合部材（セフティロックピン）６２０を挿通する案内孔６５０を形成するための案内部を設ける（案内孔６５１、６５２が互いに連通して一つの案内孔６５０となる。図７参照）。また、基板収納ケース５００には、当該基板収納ケース５００を後述するケース取付装置７００に固定するケース固定手段を挿通する挿着孔６３０を開設するための案内部を設ける（挿着孔６３１、６３２が互いに連通して一つの挿着孔６３０となる。図７参照）。
【００９８】
即ち、前部カバー部材５１０の側縁に外側に向けて突出する第１案内部６０１１を設け、後部カバー部材５２０の側縁に前記第１案内部６０１１に対応する第２案内部６０２２を設ける。また、前部カバー部材５１０の側縁に外側に向けて突出する第３案内部６０１３を設け、後部カバー部材５２０の側縁に前記第３案内部６０１３に対応する第４案内部６０２４を設けるのである。
【００９９】
そこで、図示の実施例では、前部カバー部材５１０に、第１案内部６０１１及び第３案内部６０１３を兼ねる前部側案内部６０１を設け、後部カバー部材５２０に第２案内部６０２２及び第４案内部６０２４を兼ねる後部側案内部６０２を設けている。なお、以下の説明では、これらの第１案内部６０１１ないし第４案内部６０２４からなる前部側案内部６０１及び後部側案内部６０２を、単に案内部と称する。
【０１００】
具体的には、前部カバー部材５１０及び後部カバー部材５２０には、互いに一体化したときに形成される前部側の案内部６０１、後部側の案内部６０２をそれぞれに設けるのである。また、両者の各案内部６０１、６０２には、案内孔６５１、６５２をそれぞれに設ける。
【０１０１】
そこで、例えば図５ないし図７に示す実施例では、前部カバー部材５１０の上縁部分、即ち上辺側の起立片５９３１に、上方へ膨出する案内部６０１を設け、この案内部６０１に横方向に案内孔６５１を並べて開設してある。一方、後部カバー部材５２０には、前記前部カバー部材５１０の案内部６０１に対応する位置に、即ち上辺側の立上り片５９３２に案内部６０２を膨出状に設けると共に、前記前部カバー部材５１０の案内孔６５１に対応して案内孔６５２が開設してある。
【０１０２】
なお、この実施例では、案内孔６５１は、図６に示すように、案内部６０１に設けた保持部６１０の中に形成してあり、この保持部６１０により、連結部６１１を介して案内部６０１に連絡している。即ち、案内孔６５１を設けた保持部６１０が、案内部６０１に開設した開口部の中に、連結部６１１を除いて独立している。そして、後述するようにして一体化した前部カバー部材５１０と後部カバー部材５２０とを開く場合には、この連結部６１１を切断する。
【０１０３】
そこで、前記したように、組付連結部５３１と組付係止部５３２とを利用して、前部カバー部材５１０と後部カバー部材５２０とを組み合わせると、各案内部６０１、６０２に設けた案内孔６５１、６５２が互いに連通して一つの案内孔６５０となる（図７参照）。
【０１０４】
封印手段とケース固定手段とは、前部カバー部材５１０と後部カバー部材５２０とが一体化した時に形成され、前部カバー部材５１０と後部カバー部材５２０とにそれぞれ設けられ、両者を組み合わせたときに機能する。
【０１０５】
そこで、一体化した各案内部６０１、６０２同士を分離不能に連結する結合部材６２０（以下、セフティロックピン６２０ということがある）を、案内孔６５１、６５２に装着することにより、封印手段を構成する。この結合部材６２０は、例えば図６に示すように、支持部６２１の上端に鍔部６２２を有すると共に、下端に係止部６２３を有している。また、支持部６２１の側面には中抜き部６２４が開設してある。更に、図６に示した実施例では、２つの結合部材６２０が連結部材６２５によって連結してある。
【０１０６】
次に、この結合部材６２０を詳細に説明する。セフティロックピンである結合部材６２０は、支持部６２１と、該支持部６２１の一方の端に設けられた鍔部６２２と、前記支持部６２１の他方の端に設けられて案内部６０１、６０２に係止する係止部６２３とが合成樹脂により一体に成形され、前記したように他の結合部材６２０と連結部材６２５を介して一体に成形される。
【０１０７】
支持部６２１は、断面形状が例えば角柱状であって、この角柱の上端に断面形状が例えば楕円形の鍔部６２２が連設してある。なお、鍔部６２２の上面には、ドライバ等の工具を挿入可能な工具挿入溝６２６が形成してある。
【０１０８】
一方、支持部６２１の下端に形成する係止部６２３は、長手方向の両端部から、斜め上方に向けて一対延出している。この係止部６２３は、弾性変形が可能であって、前記した案内孔６５１、６５２に挿入した場合に、縮径して案内孔６５１、６５２を通過可能である。そして、案内孔６５１、６５２を通過した後は、元の形状に復帰して拡がり、案内孔６５１、６５２の縁に係止する（図７参照）。
【０１０９】
そこで、セフティロックピンとしての結合部材６２０を案内孔６５１、６５２に装着して、前部カバー部材５１０と後部カバー部材５２０とを、一旦一体化すると、係止部６２３が案内孔６５２の縁に係止するために、結合部材６２０を引き抜くことができなくなり、封印手段として機能する。
【０１１０】
前記した案内部６０１、６０２には、ケース固定手段を構成するかしめピン６６０を装着するために挿着孔６３０が設けてある。この挿着孔６３０は、前部カバー部材５１０と後部カバー部材５２０とを組み合わせて形成するものであり、例えば図７に示すように、後部カバー部材５２０側の挿着孔６３２と、前部カバー部材５１０側の挿着孔６３１とを、連通させて構成する。なお、この図７において、前記結合部材６２０を挿通する挿着孔６５０を設けた案内部と、かしめピン６６０を挿通する挿着孔６３０を設けた案内部とは、切断面が異なっている。即ち、実際には、結合部材６２０は上下方向に、かしめピン６６０は前後方向に挿通されている。
【０１１１】
挿着孔６３０に装着するかしめピン６６０は、例えば図７に示すように、同図において下端側、実際には前後方向となるので後端側に形成した頭部６６１と、この頭部６６１の基端側に設けた小係止爪６６２と、この頭部６６１よりも小径に形成した首部６６３と、この首部６６３に連続して前記頭部６６１とほゞ同径に形成した胸部６６４と、この胸部６６４よりも小径で比較的長くに形成した腰部６６５と、この腰部６６５から延出する大係止爪６６６と、前記腰部６６５を支える小台座部６６７と、該小台座部６６７より大径に形成した大台座部６６８とを有している。
【０１１２】
大台座部６６８には、ドライバ等の工具の先端を挿入する工具挿入溝６６９が設けてある。また、大台座部６６８には接続部材６７０の一端が設けてあり、隣接するかしめピン６６０同士が接続部材６７０を介して互いに接続してある。
【０１１３】
図７に示した状態は、かしめピン６６０が後述するケース取付装置７００の固定孔７０５に嵌入する前の状態であって、同図に示した状態から、かしめピン６６０を挿着孔６３０に押し込むと、大台座部６６８が挿着孔６３０の入口部に嵌入すると共に、先端の頭部６６１が挿着孔６３０から突出して、ケース取付装置７００の固定孔７０５に嵌入することになる。このとき、小係止爪６６２及び大係止爪６６６がそれぞれ挿着孔６３０の段部６３３に係止するため、かしめピン６６０が抜けなくなる。なお、実際には、かしめピン６６０は、ケース取付装置７００の固定孔７０５に、前方から嵌入することになる（例えば図５参照）。
【０１１４】
前記したようなケース固定手段としてのかしめピン６６０は、本実施例では４箇所設けられている。ケース固定手段は、基板収納ケース５００をキャビネット２１０に固定する際に１箇所使用される。従って、基板収納ケース５００は、スロットマシン１００のケース取付装置７００に４回固定し直すことができることになる。そして、基板収納ケース５００の取り外しは、正規に許可された場合にのみ可能であり、取り外した場合には、その痕跡が残り、取り外したことが一目瞭然となる。
【０１１５】
＜ケース取付装置＞
ケース取付装置７００は、前記したようにして組み合わせた基板収納ケース５００を遊技台のキャビネット２１０に着脱可能に取り付けるためのベースとなる部材であって、透光性を有する合成樹脂によって一体成形してある。このケース取付装置７００の概略は、遊技台本体の内壁面に固定される固定部及び所定形状の係止部を備えるケース取付本体部７１０と、該ケース取付本体部７１０に対して移動可能であって前記係止部に係止して前記ケース取付本体部７１０に取り付けた前記基板収納ケース５００を拘止するカバー部７２０と、で構成されている。
【０１１６】
図８に示したケース取付本体部７１０は、遊技台本体の内壁に固定するための固定部として固定具が挿通される取付固定孔７０１を開設した底面７１１と、この底面７１１からほぼ垂直に起立する起立面７３０と、この起立面７３０の上縁に沿って前記底面７１１にほゞ平行に延出する上縁面７４０と、この上縁面７４０の外縁辺から下向きに延出する立下がり面７５０と、を備えている。そして、底面７１１と、起立面７３０とにより、基板収納ケース５００を、内部で移動可能に収容する収容部７０８を形成する。なお、収容部７０８については後述する。
【０１１７】
底面７１１は、基板収納ケース５００の外形とほゞ一致する共に、所定方向、例えば図９においては左右方向に基板収納ケース５００がスライド可能な外形形状を備える平板状の部分である。なお、底面７１１の裏面側には補強用のリブ７１２が適宜位置に設けてある（図１４参照）。
【０１１８】
また、このケース取付装置７００の底面７１１には、前記したように、当該ケース取付装置７００を遊技台本体の内壁となるキャビネット２１０に固定するための固定具、例えば固定ネジ７０２を挿通する取付固定孔７０１が４箇所に設けてある。なお、この取付固定孔７０１は、固定ネジ７０２の頭部が貫入するように凹陥部７０１ａが形成してあり、固定ネジ７０２の頭部が底面７１１から突出して基板収納ケース５００のスライド移動を妨げることがないようになっている（図９参照）。
【０１１９】
一方、底面７１１の裏側には、位置決めボス７０３が３箇所に突設してあり（図１４参照）、これらのボス７０３をキャビネット２１０の背板２１３に設けた位置決め孔（図示せず）に嵌合させることにより、ケース取付装置７００のキャビネット２１０に対する位置決めを行なっている。
【０１２０】
更に、ケース取付装置７００の底面７１１には、前記したケース固定手段を構成するかしめピン６６０を嵌入させるための固定孔７０５が、前記ケース固定手段に対応して４個、横方向に並べて開設してある。
【０１２１】
底面７１１の周囲にほゞ垂直に起立して延出する起立面７３０は、基板収納ケース５００の側面部５９３、即ち前部カバー部材５１０の起立片５９３１及び後部カバー部材５２０の立上り片５９３２の周囲を保護囲繞する部位であって、起立片５９３１及び立上り片５９３２と所定の間隔で対向する面である。例えば、基板収納ケース５００の下辺側の面に対向する下側の起立面７３０が、底面７１１の下縁から起立している。また、基板収納ケース５００の左側側面には左側の起立面７３０が、右側側面には右側の起立面７３０が、上辺側の面には上側の起立面７３０が、それぞれ底面７１１から起立している。
【０１２２】
上側の起立面７３０は、基板収納ケース５００の案内部６０１に対応して形成してあり、かしめピン６６０を挿着する挿着部に対応して、中央部分に挿着部起立面７３０が形成され、この挿着部起立面７３０の左右に、セフティロックピン６２０を挿着して封止する封止部に対応する封止部起立面７３０が形成されている。この封止部起立面７３０は、基板収納ケース５００を取り付けた状態であっても、セフティロックピン６２０を挿着可能なように、封止部の上面との間に間隔を設けて形成してある。更に、基板収納ケース５００の案内部の左右に形成された平坦部に対応する平坦部起立面７３０が前記封止部起立面７３０の左右に段差部を介して形成されている。
【０１２３】
また、前記中央部分の挿着部起立面７３０は、封止部起立面７３０よりも若干凹陥して低くなっている。このため、封印シールを貼付した場合に見易くなると共に、基板収納ケース５００を取り出し易くなっている。
【０１２４】
そして、セフティロックピン６２０及びかしめピン６６０を挿通する案内部に対応する位置には、上縁面７４０が存在しない。また、各起立面７３０の上縁に沿って拡がる上縁面７４０と、底面７１１に装着した基板収納ケース５００の前面部５９１とがほゞ面一になるように形成する。このため、基板収納ケース５００とケース取付装置７００とに掛けて貼付する封印シールが貼り易くなっている。
【０１２５】
前記したように、ケース取付装置７００に取り付けた基板収納ケース５００の前面部５９１即ち第２の基板部５１１ｂと、起立面７３０から延出する上縁面７４０とが、ほゞ面一に揃うと言うことは、基板収納ケース５００の起立片５９３１と立上り片５９３２との高さの合計が、ケース取付装置７００の起立面７３０の高さに一致しているということである。このため、基板収納ケース５００の側面部５９３において起立片５９３１と立上り片５９３２との当接部分、即ち前部カバー部材５１０と後部カバー部材５２０とが当接している接続部分が、起立面７３０の高さの範囲内に位置する。このため、前記接続部分が前記起立面７３０によって隠れるので、前記接続部分に側方からピアノ線等の不正部材を挿入することができなくなる。
【０１２６】
なお、前部カバー部材５１０と後部カバー部材５２０との接続部分を、互いに嵌合する階段上に形成すれば、接続部分に挿入する不正部材の進路が途中で屈曲するので、不正部材の挿入がより難しくなり、不正遊技をより行ない難くなる。
【０１２７】
そして、前記した接続部分は、基板収納ケース５００を、前部カバー部材５１０と後部カバー部材５２０とに分離可能にする分離部となり、基板収納ケース５００の側面部５９３に形成されている。
【０１２８】
底面７１１から起立面７３０が起立するケース取付本体部７１０の角部には、所望の箇所に切欠が開設してある。即ち、下辺側の起立面７３０には、基板収納ケース５００の下縁に設けた組付連結部５３１に対応する切欠７５１が、ケース取付装置７００の上縁面７４０から起立面７３０に掛けて開設してある（例えば図８等参照）。この切欠７５１は、基板収納ケース５００を装着する初期位置において、当該基板収納ケース５００に突設した組付連結部５３１が、挿通可能な上縁面切欠と、この切欠に連通する起立面切欠とからなる。そして、この起立面切欠は、基板収納ケース５００のスライド量に対応する幅で、スライド方向に沿って延長されている。このため、基板収納ケース５００をスライド移動させても、基板収納ケース５００から突出する組付連結部５３１が、切欠７５１の縁に係止してスライド移動が阻害されることがない。
【０１２９】
ケース取付装置の起立面７３０の適所には、基板収納ケース５００が係止するケース係止部７６０を設ける。このケース係止部７６０は、第１ケース係止部と第２ケース係止部とからなる。第１ケース係止部は、例えば基板収納ケース５００の上側側面部分における前記案内部の右側部分に突設した係止突起部５６１に対応させて、ケース取付装置７００の上縁右側における起立面７３０と上縁面７４０とに連なって開口する第１ケース係止孔７６１である。また、第２ケース係止部は、例えば基板収納ケース５００の左側側面部分に突設した係止突起部５６２に対応させて、ケース取付装置７００の左側における起立面７３０に開口する第２ケース係止孔７６２である。
【０１３０】
第１ケース係止孔７６１は、基板収納ケース５００をケース取付装置７００に装着する初期位置において、係止突起部５６２を受け入れる横幅を有して案内部の右側に位置する上縁面７４０に開口すると共に、基板収納ケース５００の左方向のスライド移動を許容する横幅を有して起立面７３０に開口している。従って、基板収納ケース５００を左方向へスライド移動させる際には、上側側面の係止突起部５６２が案内部の右側に位置している上縁面７４０の裏面側に係止して、基板収納ケース５００の飛び出しを防止している。言い換えると、底面７１１から上縁面７４０方向への基板収納ケース５００の移動が制限されている。
【０１３１】
一方、左側に位置する起立面７３０には、基板収納ケース５００が係止するケース係止部７６０として、基板収納ケース５００の左側側面に突設した２つの係止突起部５６２が係入する第２ケース係止孔７６２が上下２箇所に開口している。従って、基板収納ケース５００を左方向へスライド移動させた場合に、縦方向に並べて開設した上下２箇所の第２係止孔７６２に、２つの係止突起部５６１がそれぞれ嵌入し、これらの係止孔７６２の前方側の縁、言い換えると上縁面７４０の裏面側に各係止突起部５６１がそれぞれ係止することになる。従って、基板収納ケース５００の左側側面部分が前方（手前）へ飛び出すことを防止している。即ち、底面７１１から上縁面７４０方向への移動が制限されている。
【０１３２】
そして、前記基板収納ケース５００の係止突起部５６１を、第１ケース係止孔７６１に挿入して、基板収納ケース５００を上縁面７４０から底面７１１に挿入移動させる。この状態を、基板収納ケース５００が初期位置にあるという。一方、前記初期位置から基板収納ケース５００をスライド移動させると、係止突起部５６２が第２ケース係止孔７６２に嵌入する。この状態を、基板収納ケース５００が所定位置にあるという。
【０１３３】
なお、基板収納ケース５００に設ける各係止突起部５６１、５６２は、いずれも前部カバー部材５１０の起立片５９３１に突設してある。また、各係止突起部５６１、５６２は、適宜な厚みを備えるように外縁部分にリブが設けてあり、見掛け上の厚みを増している。
【０１３４】
一方、図示の実施例では、前記したケース取付装置７００の上縁面７４０の外縁辺から立下がり面７５０が底面７１１の方向に向けて延出してあり、起立面７３０の見掛け上の厚みを増している。そして、この立下がり面７５０の上縁から下縁までの距離は、起立面７３０の上縁から底面７１１までの距離より長く形成してある。言い換えると、立下がり面７５０の下縁が、底面７１１の下方に突出している。従って、ケース取付装置７００をキャビネット２１０に固定したときに、立下がり面７５０の下縁がキャビネット２１０に当接するが、底面７１１はキャビネット２１０に接触することがない。
【０１３５】
また、この立下がり面７５０の存在により、基板収納ケース５００の側面部５９３の周囲に、起立面７３０と立下がり面７５０とが二重に存在する。従って、ケース取付装置７００の外部から、二重に守られた基板収納ケース５００の側面部５９３に対して不正行為を働くことは不可能である。更に、基板収納ケース５００の背面部５９２の外側には、ケース取付装置７００の底面７１１が存在しているので、底面側から不正行為を働くことも不可能である。
【０１３６】
そして、基板収納ケース５００は、前記したように側面部５９３及び背面部５９２がケース取付装置７００によって覆われ、前面部５９１のみが露出している。このため、側面部５９３及び背面部５９２から不正行為を働くことは困難である。一方、前面部５９１は露出しているが、正面を向いているので視認が容易である。従って、前面部５９１に対して穴を開け、この穴を通して回路基板に改造を加えるなどの不正行為を働くと、容易に発見可能なため、不正行為の発見、防止にきわめて有効である。
【０１３７】
ケース取付装置７００には、前記したコネクタ部５０４に接続した配線材としての各フラットケーブル９００に対応して、配線拘束具７７０（以下、ケーブル押え７７０ということがある）が設けてある。そして、これらのケーブル押え７７０は、ケース取付装置７００の上縁面７４０に形成した凹陥所７４１に着脱可能に設けてある。
【０１３８】
凹陥所７４１は、各フラットケーブル９００に対応して形成してある。例えば、図示の実施例においては、第１フラットケーブル９００即ち第１コネクタの右側に位置する上縁面７４０を、キャビネット２１０との間隔が狭くなる位置に座面が来ると共に、側方が開放するように凹ませて、第１フラットケーブル９００用の凹陥所７４１−１を形成している。
【０１３９】
また、左側の第２及び第３のフラットケーブル９００に対応して、第２のコネクタ部５０４の左側の上縁面７４０を凹ませることにより、第２及び第３フラットケーブル９００用の凹陥所７４１−２が形成してある。
【０１４０】
前記したようなケース取付本体部７１０の各凹陥所７４１には、ケーブル押え７７０を装着するための配線拘束具取付孔７４２（以下、単に取付孔７４２ということがある）が一対開設してあり、これらの取付孔７４２に、ケーブル押え７７０に設けた取付片７７１を係止させる。
【０１４１】
ケーブル押え７７０、即ち配線拘束具７７０は、例えば図１２に示すように、配線材として適用するフラットケーブル９００の幅に対応する長さを有した取付基板７７２と、この取付基板７７２の一端、図面では下端から立ち上がる間隔保持板７７３と、この間隔保持板７７３の先端から薄肉部７７３ａを介して回動可能に上方へ向けて延出する押え板７７４と、押え板７７４の先端（上端）に設けた係止爪７７５ａを有する係止部７７５と、この係止部７７５を受け入れると共に係止爪７７５ａの係脱を操作する係止受入操作受部７７６と、を備えている。
【０１４２】
取付基板７７２の背面側には、前記凹陥所７４１の取付孔７４２に対応する一対の取付片７７１が設けてある。各取付片７７１は、同じ方向（図面では下方）に先端を向けると共に、取付基板７７２との間に所望の間隔を開けて突設してある。また、各取付片７７１には若干の弾性を与えると共に、各取付片７７１を若干湾曲させることにより、取付片７７１で凹陥所７４１の基板を挟み込むようになっている。
【０１４３】
また、上側の取付片７７１には、ケーブル押え７７０を凹陥所７４１の取付孔７４２に着脱するための着脱操作片７７７が設けてある。この着脱操作片７７７は、上側の取付片７７１の根本から斜め上方へ延出する弾性を有した弾着部７７７ａと、この弾着部７７７ａの先端に設けられて前記取付孔７４２に嵌入すると共に取付孔７４２の上縁に圧接する圧接部７７７ｂと、この圧接部７７７ｂを取付孔７４２から引き出す際に摘む操作部７７７ｃと、からなる。
【０１４４】
一方、取付基板７７２の前面側には、間隔保持板７７３によって所定の間隔を開けて押え板７７４が臨んでおり、この押え板７７４は薄肉部７７３ａを支点にして回動（開閉）可能になっている。そして、押え板７７４の上端には、係止爪７７５ａを有する係止部７７５が間隔保持板７７３とほゞ同じ幅で設けてある。また、上記係止部７７５の係止爪７７５ａが係止して押え板７７４の回動（開放）を阻止すると共に、係止爪７７５ａの係止を外して押え板７７４を開放するための係止受入操作受部７７６が、取付基板７７２の上端側に設けてある。この係止受入操作受部７７６は、間隔保持部板７７３とほゞ同じ高さ有するガイド片７７８と、前記係止部７７５の厚みに対応してガイド片７７８に対向して立設した操作片７７６ａとからなり、操作片７７６ａの先端部分には係止爪７７５ａが係止する爪受部７７６ｂを備えると共に、係止爪７７５ａの係止を外す際に押圧する押圧部７７６ｃが設けてある。
【０１４５】
そこで、ケーブル押え７７０の取付片７７１を、ケース取付装置７００の凹陥所７４１の取付孔７４２の前方に臨ませ、取付片７７１を取付孔７４２に挿入して下方へ移動させると、取付片７７１が凹陥所７４１の基板を挟み込むと共に、弾着部７７７ａが取付片７７１に嵌入して圧接部７７７ｂが取付孔７４２の上縁に圧接する。このため、ケーブル押え７７０は、前方への引き抜き、及び上下の移動ができなくなり、確実にケース取付装置７００の凹陥所７４１に対して取り付けられる。
【０１４６】
一方、操作片７７６ａを摘んで弾着部７７７ａを変形させて取付孔７４２の上縁との圧接を解くと共に、ケーブル押え７７０を上方に移動させ、更に前方に引き抜くと、当該ケーブル押え７７０を簡単に外すことができる。
【０１４７】
また、フラットケーブル９００を押え込むには、押圧部７７６ｃを押圧して係止爪７７５ａの係止を外し、押え板７７４を自由にした状態でフラットケーブル９００を取付基板７７２の前面に臨ませ、再び押え板７７４を閉じて押圧部７７６ｃを押圧して係止爪７７５ａを係止させればよい。このようにすれば、フラットケーブル９００をスッキリとまとめることができる。
【０１４８】
更に、適用するフラットケーブル９００に応じて、ケーブル押え７７０、即ち配線拘束具の大きさを変えて、取付孔７４２に取り付ければ、フラットケーブル９００がガタ付くことなく処理することができる。
【０１４９】
そして、前記したように、ケーブル押え７７０を凹陥所７４１に設けることにより、各フラットケーブル９００を基板収納ケース５００に沿って配置処理することができる。即ち、基板収納ケース５００との間に隙間が生じないように合理的に配置して処理することができる。基板収納ケース５００とフラットケーブル９００との間に隙間が存在しないと、不正な改造基板を隠す空間が存在することがなくなり、安全対策上、きわめて有効である。また、飛び出したフラットケーブル９００が、他の諸装置の邪魔になったり、保守点検作業や組立作業の阻害することもない。
【０１５０】
また、前記した第２コネクタ部５０４−２及び第３のコネクタ部５０４−３のように、複数のコネクタ部５０４が隣接して配置される場合には、複数のフラットケーブル９００、９００が存在することになるが、これらのフラットケーブル９００は、図２５に示すように、重ねて処理するとよい。即ち、ほぼ矩形の主制御基板５０３の外縁に近い位置に、幅の広い第２コネクタ部５０４−２を配置し、この第２コネクタ部５０４−２の内側に隣接して幅の狭い第３のコネクタ部５０４−３を配置する。そして、これらの第２及び第３コネクタ部５０４−２、３に、対応するフラットケーブルをそれぞれ接続し、各フラットケーブルを主制御基板５０３の外側に向けて引き出すように配置する。すると、幅の広いフラットケーブル９００が基板収納ケース（図示せず）に近い位置（下側）に配置され、このフラットケーブル９００の上に、幅の狭いフラットケーブル９００を重ねて配置される。なお、コネクタ部５０４及びフラットケーブル９００が３本以上ある場合も、主制御基板５０３の外縁に近い側から中心に向って順次幅の狭くなるコネクタ部５０４を配設し、これらに対応するフラットケーブルは幅の広いフラットケーブルを下にして順次幅が狭くなるフラットケーブル９００を上に重ねて配置すればよい。
【０１５１】
このように、幅の狭いフラットケーブル９００が上に来るように配置すると、幅の狭いフラットケーブル９００が、幅の広いフラットケーブル９００の影に隠れることがない。即ち、全てのフラットケーブル９００を目視することができる。このため、フラットケーブル９００に不正な改造を加えると、直ちに視認することができ、不正行為を直ちに発見することができる。
【０１５２】
ケース取付装置７００をケース取付本体部７１０と共に構成するカバー部７２０は、前記基板収納ケース５００を拘止する。また、このカバー部７２０は、各コネクタ部５０４及びフラットケーブル９００の引き出し部分を覆うことができ、前記ケース取付本体部７１０に対して着脱可能に取り付けられている。そこで、以下、このカバー部７２０をコネクタカバー７２０ということがある。また、図示の実施例では、第１コネクタ側の第１コネクタカバー７２０−１と、第２及び第３コネクタ側の第２コネクタカバー７２０−２とが、基板収納ケース５００の膨出部５１２の左右に取り付けられている（例えば、図１０参照）。
【０１５３】
そこで、膨出部５１２の右側に位置している第１コネクタカバー７２０−１は、第１コネクタ部５０４−１を覆うと共に、この第１コネクタ部５０４−１に接続したフラットケーブル９００の端部を覆うように所定形状に隆起させた隆起部７２１を備え、この隆起部７２１の上下端部には平板状の脚部７２２を介して、ケース取付本体部７１０に対して移動可能に取り付けるための遊合突起部としてのレール部７２３が設けてある。前記隆起部７２１は、内部に空間部を有し、この空間部に、基板収納ケース５００から延出するフラットケーブル９００が収まる。そして、装着状態における隆起部７２１は、側方部分を残して基板収納ケース５００の膨出部５１２の側面及びケース取付装置７００の起立面７３０によってほゞ閉塞状態になるように構成してある。
【０１５４】
このため、第１コネクタカバー７２０−１は、隆起部７２１が、コネクタ部５０４−１及びフラットケーブル９００の形状に対応をして、階段状の断面に形成されると共に、隆起部７２１の上下端に壁面が形成され、更に壁面の下縁から平板状の脚部７２２がケース取付本体部７１０の上縁面７４０の上を摺接可能な状態で延びている。また、脚部７２２の先端側には、後述するケース取付本体部７１０に設けた案内溝７９０に遊合して、コネクタカバー７２０を所定の方向、即ち基板収納ケース５００及びケース取付装置７００の長手方向にガイドする遊合突起部としてのレール部７２３が設けてある。更に、隆起部７２１の側方部分は、配線導出口としてのフラットケーブル引出口７２８を除いて、側壁７２９により閉塞されている（図１０〜１３参照）。
【０１５５】
脚部７２２及びレール部７２３は、隆起部７２１の上下にほゞ対称に設けてある。即ち、隆起部７２１の上側には、上側脚部７２２が設けてあり、この上側脚部７２２の上縁部分に、横長な舌片状のレール部７２３が２箇所に突設してある。或いは、レール部７２３の途中が途切れていると表現してもよい。
【０１５６】
上側脚部７２２の一隅には、ネジ座部７２４が設けてある。このネジ座部７２４は円形に凹陥する部位であって、中央にネジ挿通孔７２４ａを有している。従って、このネジ挿通孔７２４ａに通したネジ７２７を、ケース取付装置７００に設けたネジ孔７４９にねじ込めば、第１コネクタカバー７２０−１をネジ止めすることができる（図１０参照）。
【０１５７】
また、このネジ座部７２４は、凹陥しているので、ねじ込んだネジ７２７の頭部が突出することがなく、他の部材の邪魔になることもない。
【０１５８】
更に、図示の実施例においては、前記ネジ座部７２４の近傍に、即ち上側脚部７２２の右側縁部分に、後述するロック手段を構成するためのロック孔７２５が開設してある。
【０１５９】
一方、下側脚部７２２にも、上側脚部７２２と同様に遊合突起部としてのレール部７２３を設ける。このレール部７２３も途中で分割されて２片となっている。また、前記ネジ座部７２４とほゞ点対称となる位置にはネジ座部７２４に代えて係止穴部７２６が設けてある。この係止穴部７２６は、後述するケース取付装置７００のケース取付本体部７１０に所定形状の係止部として設けた係止舌片部７８０が係止して臨むことになる。この臨む面を係止舌片部７８０の動作操作面とする。
【０１６０】
ところで、前記したコネクタ部５０４には、接続コネクタ９１０を抜き差し可能な開放位置と、差し込んだ接続コネクタ９１０を引き抜けない閉止位置とに変位可能な一対のロックレバー５０４０を備えている。そこで、図２６に示すように、ロックレバー５０４０が開放位置にある場合には、コネクタカバー７２０を装着できないように構成してある。
【０１６１】
即ち、図２６（ｂ）に示すように、ロックレバー５０４０が外向きに回動して開放位置にある場合は、ロックレバー５０４０の間隔Ｙ′が、図２６（ａ）にしめすロックレバー５０４０が閉止位置にある場合の間隔Ｙに比べて大きくなる。一方、第１コネクタカバー７２０−１の脚部７２２、７２２の内法間隔Ｘは、ロックレバー５０４０が閉止位置にある場合の間隔Ｙに対応して決められている。このため、ロックレバー５０４０が開放位置にある場合に、第１コネクタカバー７２０−１を装着しようとしても、ロックレバー５０４０と第１コネクタカバー７２０−１の脚部７２２の側面とが当接するため、第１コネクタカバー７２０−１を正しい位置に装着することができない。
【０１６２】
従って、フラットケーブル９００を接続してロックレバー５０４０を閉止位置に倒していない状態では、第１コネクタカバー７２０−１を装着することができないので、フラットケーブル９００の接続忘れが発生することがない。
【０１６３】
第２及び第３コネクタ部５０４−２、３を覆う第２コネクタカバー７２０−２も、前記した第１コネクタカバー７２０−１と同様な構成である。即ち、膨出部５１２の左側に位置する第２及び第３コネクタ部に接続した第２フラットケーブル９００及び第３フラットケーブル９００の接続部分を覆う第２コネクタカバー７２０−２は、隆起部７２１と、この隆起部７２１の上下に延出する脚部７２２と、各脚部７２２の先端部分に設けたレール部７２３を備えている。また、隆起部７２１には、ネジ座部７２４と、係止穴部７２６が設けてある。そして、前記したような構造のカバー部７２０、即ちコネクタカバー７２０は、透光性を有する合成樹脂によって一体成形してある。
【０１６４】
また、第２コネクタ部５０４−２及び第３コネクタ部５０４−３も、ロックレバー５０４０を備えている。そこで、この場合には、外側に位置し、かつ幅の広い第２コネクタ部５０４−２を基準に、第２コネクタカバー７２０−２を形成している。従って、第２コネクタ部５０４−２のロックレバー５０４０が開放位置にある場合には、このロックレバー５０４０に第２コネクタカバー７２０−２が当接するため、第２コネクタカバー７２０−２を正しく装着することができない。
【０１６５】
前記した第１コネクタカバー７２０−１に設けた上下一対のレール部７２３に対応して、ケース取付装置７００の上縁面７４０には、前記レール部７２３が嵌入して第１コネクタカバー７２０−１を左右にガイドする上下一対の案内溝７９０を設ける。この案内溝７９０は、正面及び側方が開放する溝であって、正面側の適所には、前記レール部７２３を挿入するための切欠部７９１を設けると共に、該切欠部７９１の左右に係止片７９２が設けてある。
【０１６６】
そこで、上記ケース取付装置７００の切欠部７９１に、第１コネクタカバー７２０−１のレール部７２３を合せて落とし込むことにより、第１コネクタカバー７２０−１を左右にスライド可能に装着する。このとき、図示の実施例では、全ての作業が正面から見てケース取付本体部７１０の外部にはみ出すことなく可能なようになっている。言い換えると、全ての部材がケース取付本体部７１０の投影面内に収まるように配置されている。
【０１６７】
前記した案内溝７９０の途中には、図２７に示すように、この案内溝７９０をスライド方向に仕切る壁部７９３が設けてある。そこで、この案内溝７９０においては、壁部７９３の内側には、コネクタカバー７２０が、左右（図面において、以下同じ）にスライド可能な内側領域７９４Ａが形成される。そこで、図２８（ａ）に示すように、コネクタカバー７２０のレール部７２３を、案内溝７９０の切欠部７９１に合わせて、コネクタカバー７２０をケース取付装置７００に装着する。そして、左側（内側）にスライドさせると、係止穴部７２６に係止舌片部７８０が嵌入すると共に係止して、コネクタカバー７２０が正しい位置に装着される（図２８（ｂ）参照）。即ち、コネクタ部５０４と接続コネクタ９１０との嵌合部分を覆う第１装着位置となる。一方、コネクタカバー７２０を右側（外側）にスライドさせた場合には、壁部７９３にコネクタカバー７２０のレール部７２３が当接することにより、更なるスライドが阻止され、開口する案内溝７９０の外端からの脱落が防止される（図２８（ｃ）参照）。
【０１６８】
一方、案内溝７９０において、前記壁部７９３の外側（右側）には、コネクタカバー７２０を仮に保持させておくことが可能な外側領域７９４Ｂを形成している。具体的には、案内溝７９０の開口する外端から、コネクタカバー７２０のレール部７２３を前記案内溝７９０に挿入するのである。すると、図２９に下側の要部を示すように、上下の案内溝７９０に設けてある係止片７９２の内面にレール部７２３が内側から係止することになる。従って、この状態では、コネクタカバー７２０が手前に落下することがない。また、この状態は、コネクタカバー７２０が、コネクタ部５０４及び接続コネクタ９１０を覆っていない状態である。言い換えると、コネクタ部５０４にアクセス可能な状態にあるといえる。即ち、コネクタ部５０４と接続コネクタ９１０との嵌合部分の近傍にあって、接続コネクタ９１０の着脱に支障のない第２装着位置となる。
【０１６９】
そこで、前記したように、案内溝７９０の外側領域７９４Ｂに、コネクタカバー７２０を保持させた状態を、コネクタカバー７２０が仮止め位置あるという。この仮止め位置では、前記したように回路基板のコネクタ部５０４にアクセス可能であるから、例えば、検査装置のケーブルを嵌合させて、主制御基板５０３の検査を行なうことができる。また、コネクタカバー７２０が落下することもないので、検査中にコネクタカバー７２０を紛失することもない。
【０１７０】
コネクタカバー７２０を基板収納ケース５００に装着するには、コネクタカバー７２０をケース取付装置７００の案内溝７９０に沿って内側にスライドさせる。このとき、コネクタカバー７２０がフラットケーブル９００に接触し、更にはフラットケーブル９００を押圧することがある。しかし、この実施例においては、図３０（ａ）に示すように、コネクタカバー７２０のスライド方向は、コネクタ部５０４と接続コネクタ９１０との嵌合状態を強める方向である。即ち、フラットケーブル９００の延出方向から、フラットケーブル９００を縮める方向にスライドさせている。従って、コネクタカバー７２０をスライドさせているときに、コネクタ部５０４と接続コネクタ９１０との嵌合が弛むことがない。一方、図３０（ｂ）に示すように、フラットケーブル９００の延出方向に、コネクタカバー７２０をスライドさせると、フラットケーブル９００がコネクタカバー７２０に引きずられて、コネクタ部５０４と接続コネクタ９１０との嵌合が弛む恐れがある。
【０１７１】
ケース取付本体部７１０の上縁面７４０には、前記したカバー部７２０としての第１コネクタカバー７２０−１に開設した係止穴部７２６に係止する係止舌片部７８０を設ける。この係止舌片部７８０は、ケース取付本体部７１０の上縁面７４０に、一端側が繋がったほゞ平行する切り離し部を設けることにより、一端を自由端とする腕状の部材として形成したものである。従って、この腕状の部材は基端が上縁部に連なっているので材質による弾性を有している。また、この係止舌片部７８０は、ケース取付本体部７１０に設けた所定形状の係止部となる。
【０１７２】
そして、係止舌片部７８０の自由端側には、先端側に向って上り傾斜する斜面部７８１と、該斜面部７８１の上端から鋭角に交差する係止面部７８２とが形成してある（図１３参照）。従って、案内溝７９０にレール部７２３を装着した第１コネクタカバー７２０−１を、係止穴部７２６に係止舌片部７８０を係止させる方向である内側方向（図面では左側）へ移動させると、当該第１コネクタカバー７２０−１の下面によって、傾斜面部７８１が下方へ押圧されて、係止舌片部７８０が下方へ弾性変形するが、斜面部７８１が係止穴部７２６に達すると、復帰して斜面部７８１が係止穴部７２６に嵌入する。
【０１７３】
一方、この係止した状態で、前記とは逆方向に、即ち第１コネクタカバー７２０−１を外す方向である外側方向に、第１コネクタカバー７２０−１を移動させようとしても、係止穴部７２６の内壁に、係止舌片部７８０の係止面部７８２が係止するため、移動させることはできない。
【０１７４】
しかし、係止舌片部７８０を変形させて、係止面部７８２と係止穴部７２６との係止を解除すれば、第１コネクタカバー７２０−１を外す方向へ移動させることができる。このためには、係止舌片部７８０の斜面部７８１を、解除操作物により押圧すればよい。例えば指先を係止穴部７２６に通して、或いは係止穴部７２６に挿通したドライバー等の器具類でもって、前記斜面部７８１を押圧して、係止舌片部７８０を変形させる。この場合、係止舌片部７８０と係止穴部７２６との係止を解除する解除操作の方向は、前記係止穴部７２６から前記係止舌片部７８０を臨む方向となる。
【０１７５】
一方、前記解除操作の方向は、前記係止穴部７２６から前記係止舌片部７８０を臨む方向ばかりではない。即ち、基板収納ケース５００を拘止するためのカバー部７２０であるところのコネクタカバー７２０を外すための解除操作は、係止舌片部７８０を変形されることができればよい。そこで、例えば先端を鉤型に屈曲させたフックを、解除操作物として係止舌片部７８０の側方から侵入させ、このフックを回転させることにより、先端の鉤型部分で前記係止舌片部７８０を押圧することができる。
【０１７６】
そこで、解除操作ができないように、即ち解除操作物を侵入させないようにするには、係止舌片部７８０の前面側に空間或いは余裕を形成しないように、配置構成するのである。例えば、後述する所定装置として隣接させて配置するリールユニット２２０に設けたリール基板カバー２２３を、前記係止舌片部７８０の前面に臨ませるのである。また、側方からの挿入を阻止するために、係止舌片部７８０の側方に、障害部材７８９を配置するのである。
【０１７７】
先ず、解除操作物を挿入できないようにする障害部材は、例えば図２０に示す実施例では、この係止穴部７２６の周囲、具体的には上縁及び右側縁にリブ状の障害部材７８８を、コネクタカバー７２０の脚部７２２に突設している。従って、外部からピアノ線等の不正遊技部材（解除操作物）の侵入を確実に阻止可能である。
【０１７８】
そして、障害部材７８８、７８９は、図示していないが、例えばリール基板カバー２２３側に設けることもできるし、またケース取付本体部７１０に設けることも可能であって、双方に設けたものでもよい。
【０１７９】
一方、図３１に示すように、コネクタカバー７２０の裏面側に、補強のためにリブ７２２１を設けることもできる。即ち、コネクタカバー７２０を強度を高めるために、適宜な位置に補強リブ７２２１を設けると共に、前記した係止穴部７２６の周囲にリブ７２６１を設ける。
【０１８０】
係止穴部７２６の周囲にリブ７２６１を設けると、係止舌片部７８０が嵌入するときの動作が大きくなる。このため、係止舌片部７８０の嵌入して係止穴部７２６に係止するときに、「カチッ」と言うような作動音が発生し、係止舌片部７８０が確実に係止穴部７２６に嵌入係止したことを、作業者に報知することが可能である。また、係止穴部７２６の周囲にリブ７２６１を設けると、係止穴部７２６が深くなり、係止舌片部７８０との係止が確実になるという効果もある。
【０１８１】
次に、前記解除操作物の挿入を構造的に阻止するには、例えば、係止部としての係止舌片部７８０または解除操作の妨げとなるように隣接して配置する所定装置の所要部のいずれか一方を凸部にすると共に、他方を凹部にすれば、解除操作物を挿入することはできなくなる。しかも、正面には、所定装置として例えば後述するリールユニット２２０が存在しているので、正面からの解除操作物を挿入することは極めて困難である。
【０１８２】
従って、解除操作物を挿入してのカバー部７２０の解除操作は不可能であり、不正にコネクタカバー７２０を取り外すことは不可能である。そして、コネクタカバー７２０を撤去できなければ、基板収納ケース５００にアクセスすることは不可能であり、基板収納ケース５００に収納した主制御基板５０３に不正な改造を加えることができなくなり、不正遊技を未然に防止することができる。
【０１８３】
更に、カバー部７２０であるコネクタカバー７２０の固定を確実にすることができる。即ち、係止舌片部７８０の係止面部７８２が係止穴部７２６に係止している状態では、上側に設けたネジ座部７２４と、ケース取付本体部７１０の上縁面７４０に設けたネジ孔７４９とが一致しているので、ここをネジ７２７によりネジ止めする。また、ネジ座部７２４の近傍に設けたロック孔７２５と、ネジ孔７４９の近傍に設けたロック孔７４８と、が同様に一致している。そこで、両ロック孔７２５、７４８に南京錠７４７ａやワンウエーの結束バンド７４７ｂ等のロック材を通して封印するとよい（図１１参照）。
【０１８４】
基板収納ケース５００の左側に位置する第２コネクタカバー７２０−２、即ち第２及び第３コネクタ部に接続した各フラットケーブル９００を覆う第２コネクタカバー７２０−２も、前記した第１コネクタカバー７２０−１の構成と同様なので、同じ機能を有する部位に同一の符号を付して説明を省略する。なお、こちら側の第２コネクタカバー７２０−２も、ケース取付本体部７１０の投影面内で必要な全ての作業や操作が完了する。
【０１８５】
そして、解除操作物の挿入を困難にするものは、前記した構造的なものばかりではない。即ち、リールユニット２２０とカバー部７２０との配置構成によっても、前記したように解除操作物の挿入は困難になる。
【０１８６】
例えば、所定装置としてのリールユニット２２０に解除操作の妨げとなるように設けた所要部を、係止舌片部７８０に比べて大きく形成し、両者の隙間がなるべく少なくなるように、配置構成するのである。即ち、動作操作面として係止穴部７２６から臨む係止舌片部７８０の斜面部７８１に比べて、リールユニット２２０の所要部を大きく形成するのである。このようにすれば、係止部である係止舌片部７８０に向けて解除操作物を挿入することが困難であり、正面ばかりではなく側方からの侵入にも対処することができる。
【０１８７】
一方、前記したように、係止穴部７２６に係止舌片部７８０の係止面部７８２が係止した状態では、コネクタカバー７２０を移動させることができない。そこで、係止穴部７２６から臨む係止舌片部７８０を押圧できないようにすれば、基板収納ケース５００を外すことができずに、主制御基板５０３に対する不正な改造を防止することができる。
【０１８８】
そこで、図示の実施例では、係止舌片部７８０に対する解除操作ができなくなるように、係止穴部７２６の前面側に、基板収納ケース５００よりも先に取り付けることで、所定装置となるリールユニット２２０を設け、このリールユニット２２０の所要部となるリール基板カバー２２３を、前記係止舌片部７８０の斜面部７８１の前面に臨ませている。
【０１８９】
絵柄を表示するリールユニット２２０は、前記したように、リールフレーム２２１に３列のリールを設けたものであって、遊技台のキャビネット２１０に設けたリールユニット載置台２１８に対して着脱可能に取り付けてある。また、リールユニット２２０の背面側には、中継基板としてのリール基板２２２が装着してあり、このリール基板２２２はリール基板カバー２２３によって被覆されている（図１６参照）。そして、このリールユニット２２０は、前記したように基板収納ケース５００よりも先に、遊技台のキャビネット２１０内に設置されるものである。
【０１９０】
リール基板カバー２２３は、例えば図１７に示すように、内部に空間部を備えており、配線引出部を除いてほゞ閉塞している。即ち、図示の実施例では、リール基板２２２が位置する基板収納部を形成する背板部２２３１と、この背板部２２３１の上縁から斜めに延出する斜板部２２３２、背板部２２３１の下縁の一部を残して凹む凹板部２２３３と、背板部２２３１の側方に凹板部２２３３と同じ高さで突出する側方凹板部２２３４と、前記背板部２２３１、斜板部２２３２、凹板部２２３３、側方凹板部２２３４の各側縁部分から周囲を囲むようにして延出する胴板部２２３５と、を備えており、リールフレーム２２１即ち樹脂ケース２２１と同じ透光性を有する合成樹脂により一体に形成されている。
【０１９１】
凹板部２２３３及び側方凹板部２２３４には、リール基板カバー２２３をリールフレーム２２１に取り付けるネジ受座２２３６が、円形に凹陥して設けてある。また、斜板部２２３２の上縁から延出している上側胴板部２２３７には、各リールに対応して接続する配線コードを通す配線孔２２３８が、半円形に開設してある。そして、この配線孔２２３８は、配線コードに接続したコネクタよりも小径としているので、配線コードの抜け止めの機能を果している。
【０１９２】
また、側方凹板部２２３４の下方部分には、リール基板２２２に設けたコネクタ端子が臨む端子孔２２３９が開口している。なお、図１７では現れていないが、左側の胴板部にも、開口部が開設してある。
【０１９３】
そして、リール基板カバー２２３の背板部２２３１の左右には、ケース取付装置７００に固定したコネクタカバー７２０の係止穴部７２６に対応して所定形状の凸部８２０が形成してあり、この凸部８２０の傾斜面８２１が係止穴部７２６に所定の間隔で対峙するようになっている。即ち、この凸部８２０が、解除操作を妨げる所要部となっている。そして、この所定の間隔は、係止穴部７２６と係止舌片部７８０との係止を外すための操作ができない状態であって、具体的には、係止穴部７２６を通して係止舌片部７８０を押圧するために、指や工具を挿入できない間隔であって、基板収納ケース５００の取り付け作業には支障のでない間隔である。また、前記凸部８２０の傾斜面８２１は、係止舌片部７８０を押圧するための動作操作面となる係止穴部７２６から臨む傾斜面部７８１に比べて大きな面を含んで形成されており、係止穴部７２６を覆い隠している（例えば、図１９参照）。
【０１９４】
次に、前記したような主制御基板５０３を収納した基板収納ケース５００を、遊技台のキャビネット２１０に取り付ける手順を簡単に説明する。一般に、基板収納ケース５００は、組立工程の最後に取り付ける。即ち、先ず、キャビネット２１０の所定の位置に、ケース取付装置７００を固定ネジ７０２でネジ止めする（図１８（ａ）参照）。また、リールユニット２２０をキャビネット２１０に設けたリールユニット載置台２１８に着脱可能に取り付ける。このとき、リールユニット２２０に設けたリール基板カバー２２３の凸部８２０が、ケース取付装置７００の係止舌片部７８０の先端部分（コネクタカバー７２０を装着した状態では係止穴部７２６）に相対する位置にある。即ち、リールユニット２２０のリール基板カバー２２３が、ケース取付装置７００の下縁部分を覆って、正面から見た場合に、ケース取付装置７００の下縁部分がリールユニット２２０の影に隠れている。
【０１９５】
上記のような状態で、主制御基板５０３を基板収納ケース５００に収納し、セフティロックピン６２０を装着して封印し、開封できないようにした基板収納ケース５００（以下、単に正規の基板と言うことがある）を、ケース取付装置７００の前方に臨ませる。
【０１９６】
このとき、正規の基板の上縁側を手前に、下縁側を奥にして斜めになった状態にする。即ち、正規の基板の下縁側を先に、ケース取付装置７００に形成した収容部７０８に挿入するようにする。収容部７０８は、ケース取付装置７００の底面７１１と、周囲の起立面７３０とで囲まれる、前面側が開放する空間部である。そして、この収容部７０８は、基板収納ケース５００が所定の方向に移動可能なように構成してある。
【０１９７】
そこで、基板収納ケース５００の下縁側に設けてある組付連結部５３１を、ケース取付装置７００のケース取付本体部７１０の上縁面７４０に設けた切欠７５１に合せる。この位置では、基板収納ケース５００の左側縁部分に設けた２つの係止突起部５６２が、ケース取付本体部７１０の内側に位置する。また、基板収納ケース５００の上縁において、案内部６０１の右側に突設した係止突起部５６１は、ケース取付本体部７１０の上縁に設けたケース係止孔７６１の位置に一致している。
【０１９８】
従って、この状態で、正規の基板の下縁側を支点にして後方へ回動させるようにして、正規の基板をケース取付本体部７１０内に落とし込む（図１８（ｂ）参照）。この状態では、未だ３つの係止突起部５６１、５６２がケース取付本体部７１０内に位置し、基板収納ケース５００は初期位置にある。
【０１９９】
そこで、正規の基板を、左側へ若干スライド移動させる。このとき、基板部５１１が平坦に形成されているので、スライド移動に支障がない。基板収納ケース５００が左側にスライド移動すると、当該基板収納ケース５００の左側側縁部分に突設した２つの係止突起部５６２が、ケース取付本体部７１０の左側起立面７３０に開設した第２係止孔７６２に嵌入して係止する。また、基板収納ケース５００の右側上縁に突設した係止突起部５６１が、上縁面７４０に開設した第１係止孔７６１の左端部分に係止する。即ち、基板収納ケース５００が所定位置に移動する。
【０２００】
この状態、即ち基板収納ケース５００が所定位置に位置すると、基板収納ケース５００の案内部に開設した挿着孔６３０と、ケース取付装置７００に設けた固定孔７０５とが一致する。そこで、挿着孔６３０から固定孔７０５に向けてかしめピン６６０を打ち込む。一旦、かしめピン６６０を打ち込むと、このかしめピン６６０を抜くことはできない。言い換えると、基板収納ケース５００を収容部７０８の所定位置に固定することができる。
【０２０１】
一方、各コネクタ部５０４には、それぞれフラットケーブル９００を接続する。また、ケーブル押え７７０により、フラットケーブル９００を基板収納ケース５００及びケース取付装置７００の外形に沿ってコンパクトにまとめて止着する。具体的には、図１２に示すように、右側の第１コネクタ部５０４−１に接続したフラットケーブル９００を、右横方向に折り込むと共に、ケース取付装置７００の凹陥所７４１に沿って下方へ屈曲させ、ケーブル押え７７０の取付基板７７２の上に載せると共に、押え板７７４で押さえ込み、係止爪７７５ａを係止させることにより押え板７７４を固定し、フラットケーブル９００をケース取付装置７００の横方向に引き出す。このとき、フラットケーブル９００を、前記したように、基板収納ケース５００及びケース取付装置７００の外面に沿って、浮き上がらないように処理することができる。
【０２０２】
基板収納ケース５００の左側に位置している第２及び第３コネクタ部５０４−２に接続した第２及び第３フラットケーブル９００は、一緒にして前記第１フラットケーブル９００と同様に、第２ケーブル押え７７０によってまとめ、ケース取付装置７００の左側に引き出す。勿論、基板収納ケース５００をケース取付本体部７１０内に落とし込む前に、予め各フラットケーブル９００を対応する各コネクタ部に接続しておいてもよい。
【０２０３】
次に、カバー部７２０としてのコネクタカバー７２０を取り付けるが、このコネクタカバー７２０は、前記したように、ケース取付装置７００の投影面内で作業可能なように構成してあるので、キャビネット２１０の内部であっても、何ら支障なく作業ができる（図１８（ｃ）参照）。
【０２０４】
即ち、コネクタカバー７２０を、前記したようにして取りまとめたフラットケーブル９００の前方に臨ませ、上下に設けた各レール部７２３を、上縁面７４０の切欠に合せて案内溝７９０に落とし込む。そして、コネクタカバー７２０を、内側方向へ移動させると、係止舌片部７８０が押圧されるため一旦下方へ変形して斜面部７８１を逃し、係止穴部７２６が斜面部７８１に達すると、戻り変形して斜面部７８１が係止穴部７２６に嵌入すると共に、係止面部７８２が係止穴部７２６の内面に係止する。また、カバー部であるコネクタカバー７２０の一部、例えば左側端面が基板収納ケース５００の右側側面に当接する。従って、この状態になると、コネクタカバー７２０は、外方向への移動が阻止されるようになる。そして、コネクタカバー７２０が基板収納ケース５００を拘止する。
【０２０５】
しかも、係止穴部７２６は、リールユニット２２０の影に隠れ、係止穴部７２６の前方にはリールユニット２２０に設けたリール基板カバー２２３に設けた凸部８２０が臨んでいるので、係止穴部７２６を通して係止舌片部７８０を操作し、これらの係止を解除することはできない。これらの係止を解除するためには、リールユニット２２０を外す必要があり、不正遊技を行なう者にとっては、非常な負担となる。
【０２０６】
基板収納ケース５００の係止舌片部７８０がカバー部としてのコネクタカバー７２０の係止穴部７２６に係止した状態では、ネジ座部７２４とネジ孔７４９とが一致すると共に、ロック孔７２５とロック孔７４８とが一致する。そこで、ネジ座部７２４からネジ孔７４９にネジ７２７をねじ込めば、このネジ７２７と係止舌片部７８０との２箇所でコネクタカバー７２０を固定することになるので、確実な固定が可能である。
【０２０７】
また、ロック孔７２５とロック孔７４８とにロック手段として南京錠７４７ａや結束バンド７４７ｂ等を通して封印すると更に安全性を高めることが可能である（図１１参照）。
【０２０８】
更に、図１５に示すように、基板収納ケース５００の前面部と、第１コネクタカバー７２０−１とに掛けて、封印シールＳを貼設しておけば、第１コネクタカバー７２０−１を移動すると、上記封印シールＳが破れるので、不正行為を容易に発見することができる。
【０２０９】
前記したように、基板収納ケース５００を拘止するカバー部であるコネクタカバー７２０を移動させるには、リールユニット２２０を外す必要がある。そこで、リールユニット２２０自体を外せないように構成することもできる。即ち、図２１に示す実施例では、リールユニット２２０を配置したリールユニット載置台２１８と前記リールユニット２２０とを、例えば南京錠８５０よりなる錠手段を設けて施錠可能とする。このように構成すれば、解錠手段を持たない者はリールユニット２２０を外すことができないので、不正な改造に対する安全性がより向上する。
【０２１０】
そして、仮にコネクタカバー７２０を外すことができても、基板収納ケース５００は、ケース取付本体部７１０内において第１ケース係止孔７６１に係止突起部５６１が嵌入して係止し、第２ケース係止孔７６２に係止突起部５６２が嵌入して係止している所定位置にあり、基板収納ケース５００の挿着孔６３０からケース取付装置７００の固定孔７０５に向けてかしめピン６６０が打ち込んである。このため、このかしめピン６６０を切断することなく抜くことはできない。しかも、かしめピン６６０を抜いても、基板収納ケース５００を取り外すには、更に各係止突起部５６１、５６２と各ケース係止孔７６１、７６２との係止を解除可能な初期位置まで移動させなければならない。従って、基板収納ケース５００の取り外しには、非常に手間暇の掛かるものとなっており、また多くの痕跡を残すものである。このため、不正行為に対する安全性がきわめて高いものとなっている。
【０２１１】
また、前記したように、基板収納ケース５００をケース取付装置７００に対して取り付ける場合には、所定の手順を踏んで行うことになる。即ち、前記した実施例においては、先ず、基板収納ケース５００をケース取付装置７００の収容部７０８に挿入可能な位置に臨ませ、次に基板収納ケース５００を挿入可能な位置から、前記収容部７０８内に位置させ、そして、基板収納ケース５００を左側にスライド移動させることにより、基板収納ケース５００がケース取付装置７００から脱落しないようしている。
【０２１２】
具体的には、基板収納ケース５００から突出する組付連結部５３１を、上縁面７４０の切欠７５１でかわすと共、上縁部分に設けた係止突起部５６１をケース係止孔７６１でかわして、基板収納ケース５００を収容部７０８に挿入する。次に、基板収納ケース５００を左側にスライド移動させて、組付連結部５３１を上縁面７４０の裏側に係止させると共に、前記係止突起部５６１をケース係止孔７６１から上縁面７４０の裏側に係止させ、更に基板収納ケース５００の左縁部分に設けた係止突起部５６２を、ケース係止孔７６２から上縁面７４０の裏側に係止させるのである。
【０２１３】
従って、基板収納ケース５００を取り外す場合には、上記と逆の手順を踏まなければならない。このため、不正行為を行う者にとっては、非常に負担の大きなものとなっている。言い換えると、不正行為に対する安全性が高いと言える。
【０２１４】
また、前記したように、スライド可能なコネクタカバー７２０が設けてあり、基板収納ケース５００を固定するには、このコネクタカバー７２０を、ケース取付装置７００に設けた案内溝７９０内を基板収納ケース５００の方向へスライド移動させなければならない。一方、基板収納ケース５００を外す場合には、コネクタカバー７２０を逆方向、即ち外方向にスライドさせて、先ずコネクタカバー７２０を外さなければならない。しかも、コネクタカバー７２０を外すには、前記したように、面倒な手順を踏まなければならない。従って、このコネクタカバー７２０によっても、不正行為に対する安全性が高められている。
【０２１５】
ところで、前記したようにしてキャビネット２１０内に取り付けたケース取付装置７００と、このケース取付装置７００内に挿着した基板収納ケース５００と、この基板収納ケース５００を拘止するカバー部７２０、及びリールフレーム２２１とリール基板カバー２２３とは、皆同じ透光性を有する合成樹脂によって成形してある。従って、互いに組み付けた状態においては、各部材の区切りが不明瞭となる。このため、不正行為を行なおうとする者にとっては、どこから不正行為を働いてよいか分からず、この点からも不正行為に対する安全性が高まる。
【０２１６】
前記した実施例では、基板収納ケース５００に隣接して配置する所定装置として、リールユニット２２０を用いた場合を説明したが、所定装置はリールユニット２２０に限るものではない。例えば、図２２に示す実施例では、所定装置として、キャビネット２１０の側板２１４に、副制御基板を収納した副基板収納ケース５７０を取り付けている。なお、図示の実施例では、側板２１４に設けたケース取付装置７０９を介して副基板収納ケース５７０をキャビネット２１０内に取り付けている。
【０２１７】
副基板収納ケース５７０には、基板収納ケース５００を取り付けたケース取付装置７００のカバー部７２０と、ケース取付本体部７１０が備える係止部、例えば係止舌片部７８０と、の係止を解除させる解除操作を妨げる所要部、例えば突出部５７１が設けてある。
【０２１８】
従って、この実施例によっても、主制御基板５０３を収納した基板収納ケース５００を外す場合には、副基板収納ケース５７０を外さなければならず、主制御基板５０３に対する不正な改造を未然に防止することができる。
【０２１９】
ケース取付装置としては、金属板８３１を適用することもできる。即ち、例えば図２３に示すように、キャビネット２１０の背板２１３に固定した金属板８３１に、主制御基板５０３を収納した基板収納ケース５００を、金属板８３１に雄ねじ８３２によりネジ止めする。このため、金属板８３１には雌ねじ部（図示せず）が開設してあり、この雌ねじ部に対して、基板収納ケース５００に通した雄ねじ８３２を螺合させて、基板収納ケース５００を金属板８３１に取り付けるのである。
【０２２０】
そして、リールフレーム２２１の所定位置には、基板収納ケース５００の取り外しの妨げとなるように係止突起８１３が所要部として設けてある。一方、基板収納ケース５００の下側隅部には、前記係止突起８１３に対応して、当該係止突起８１３を受け入れる受入部８１１と、前記係止突起８１３が係止する係止顎部８１２とが設けてある。
【０２２１】
そこで、リールユニット２２０をリールユニット載置台２１８に載せて所定の位置に取り付けた状態において、基板収納ケース５００をリールユニット２２０と金属板８３１との間に押し込んだ状態では、係止突起８１３と係止顎部８１２とが係止している。
【０２２２】
従って、雄ねじ８３２を外しても基板収納ケース５００を引き上げることができないので、基板収納ケース５００を外すことができない。そして、基板収納ケース５００を外すためには、リールユニット２２０を移動させて、係止突起８１３と係止顎部８１２との係止を解かなければならない。
【０２２３】
この実施例によれば、基板収納ケース５００を取り外すには、リールユニット２２０を移動させて、係止突起８１３と係止顎部８１２との係止を解除しなければならないが、基板収納ケース５００を取り付ける際には、リールユニット２２０が取り付けの妨げになることはない。従って、不正遊技を未然に防止可能であるが、作業性を損ねることはない。
【０２２４】
図２４は、更に他の実施例を示す。この実施例では、基板収納ケース５００の所定位置、図示の実施例では、下側隅部に、係合突起部８４１を突設している。一方、リールユニット２２０のリールフレーム２２１の形状を、前記係合突起８４１に係合可能な形状とするのである。そして、リールユニット２２０の上方に基板収納ケース５００を臨ませ、次に当該基板収納ケース５００を、ケース取付装置の固定部としての金属板８３１に沿って下降させ、リールフレーム２２１と金属板８３１との間に挿入し、雄ねじ８３２により基板収納ケース５００を金属板８３１に固定する。
【０２２５】
このとき、リールフレーム２２１の形状、例えば背面上半部分の傾斜面２２１ａによって係合突起８４１がガイドされて、基板収納ケース５００の挿入が可能となるが、基板収納ケース５００を引き出す際には、背面下半部分の傾斜面２２１ｂに係合突起８４１が係合して、引き出しが不可能となる。従って、この実施例においては、傾斜面２２１ａ及び傾斜面２２１ｂが、基板収納ケース５００の取付操作の妨げとはならないが取外操作の妨げとなる所要部に該当する。
【０２２６】
このように構成すれば、一旦、金属板８３１に取り付けた基板収納ケース５００は、係合突起部８４１とリールユニット２２０との係合が解除されない限り、取り出すことができない。即ち、係合突起部８４１とリールユニット２２０との係合が解除されるまで、少なくともリールユニット２２０を移動させなければならない。
【０２２７】
従って、基板収納ケース５００を不正に改造することが不可能で、不正遊技を未然に防止することができる。一方、基板収納ケース５００を取り付ける際には、キャビネット２１０内に予め配置されているリールユニット２２０の存在が作業性を低下させることはない。
【０２２８】
ところで、前記した実施例では、いずれも、基板収納ケース５００を本体２０１の内部に取り付けている取付手段としてのケース取付装置７００が、リールユニット等の諸装置の影に隠れて不正行為を行ない難いものとして説明したが、見方を変えれば、基板収納ケース５００を取り付けるケース取付装置７００を、諸装置のいずれかによって、取り外し操作が阻害される位置に配置する、と言ってもよく、このように構成することもできる。
【０２２９】
以上、本発明を図示の実施例について説明したが、本発明は前記した各実施例に限定されるものではなく、特許請求の範囲に記載した構成を変更しない限り適宜に実施できる。例えば、前記した実施例では、配線材としてフラットケーブルを適用した場合を示しているが、ハーネス等、他のものを適用することもできる。
【図面の簡単な説明】
【０２３０】
【図１】遊技台の一例であるスロットマシンの斜視図である。
【図２】スロットマシンの内部構造を示す概略斜視図である。
【図３】主制御部の概略構成図である。
【図４】主制御部によるメイン処理を示すフローチャートである。
【図５】基板収納ケース及びケース取付装置を示す分解斜視図である。
【図６】結合部材及び案内孔の説明図である。
【図７】基板収納ケースの各案内部を異なる方向から見た断面図である。
【図８】ケース取付装置の斜視図である。
【図９】基板収納ケースをケース取付装置に取り付ける説明図である。
【図１０】基板収納ケースをケース取付装置に取り付けた状態の斜視図である。
【図１１】ケース取付装置の要部を示す斜視図であって、（ａ）はケース取付本体部の右上角部の説明図、（ｂ）はケース取付本体部にカバー部及び配線拘束具を装着した状態の説明図である。
【図１２】配線拘束具の説明図であって、（ａ）はフラットケーブル９００を押え込んだ状態の斜視図、（ｂ）は取り付ける前の状態の断面図、（ｃ）は配線拘束具の斜視図、（ｄ）は取り付けた状態の断面図、（ｅ）は押え板を開いた状態の斜視図である。
【図１３】ケース取付本体部及びカバー部を示し、（ａ）はカバー部をケース取付本体部に装着する前の状態の説明図、（ｂ）は装着後の説明図である。
【図１４】基板収納ケースをケース取付装置に設置した状態を示し、（ａ）は正面図、（ｂ）はＢ−Ｂ線断面図、（ｃ）はＣ−Ｃ線断面図である。
【図１５】基板収納ケースをケース取付装置に設置した状態を示す要部の断面図である。
【図１６】リールユニットの背面側を示し、（ａ）はリールフレームにリール基板を取り付けた状態の斜視図、（ｂ）は更にリール基板カバーを取り付けた状態の斜視図である。
【図１７】リール基板カバーの斜視図である。
【図１８】基板収納ケースの取付工程の説明図であって、（ａ）はケース取付装置の取付工程、（ｂ）は基板収納ケースの取付工程、（ｃ）はカバー部の取付工程を示す。
【図１９】ケース取付装置の要部を示す斜視図であって、（ａ）はケース取付本体部の係止部とリール基板カバーとの関係を示し、（ｂ）はカバー部とケース取付本体部の係止部との関係を示す。
【図２０】他の実施例におけるケース取付装置の要部を示す斜視図であって、（ａ）は障害部材を設けた係止穴部の説明図、（ｂ）は係止穴部とリールユニットとの関係の説明図である。
【図２１】他の実施例における遊技台の内部構造を示す概略正面図である。
【図２２】他の実施例における遊技台の内部構造を示す概略側面図である。
【図２３】他の実施例における説明図であって、（ａ）はリールユニットを背面側から見た斜視図、（ｂ）は基板収納ケースの要部の斜視図、（ｃ）は基板収納ケースをキャビネットに取り付ける工程を示す概略側面図、（ｄ）は基板収納ケースとリールユニットとの配置関係を示す概略側面図である。
【図２４】更に他の実施例における説明図であって、（ａ）は基板収納ケースの要部の斜視図、（ｂ）は基板収納ケースをキャビネットに取り付ける工程を示す概略側面図、（ｃ）は基板収納ケースとリールユニットとの配置関係を示す概略側面図である。
【図２５】フラットケーブルの接続状態を示す主制御基板の斜視図である。
【図２６】コネクタカバーの装着状態の説明図であって、（ａ）は取付可能な状態、（ｂ）は取付不可能な状態を示す。
【図２７】コネクタカバーを装着する案内溝の説明図であって、ケース取付装置の要部を示す斜視図である。
【図２８】コネクタカバーの装着過程の説明図であって、（ａ）は装着前、（ｂ）は左側方向へスライドさせて正しい位置に装着した状態、（ｃ）は右側にスライドさせても脱落しない状態、をそれぞれ示す。
【図２９】コネクタカバーを仮止め位置に保持させた状態の説明図であって、ケース取付装置及びコネクタカバーの要部を示す。
【図３０】コネクタカバーとフラットケーブルと接続コネクタとコネクタ部との関係を示す説明図であって、（ａ）は接続コネクタとコネクタ部との嵌合状態が強まることを、（ｂ）は接続コネクタとコネクタ部との嵌合状態が弱まることを示す。
【図３１】コネクタカバーの他の実施例を示し、（ａ）はコネクタカバーの斜視図、（ｂ）は係止穴部を裏面側から見た拡大図である。
【符号の説明】
【０２３１】
１００  スロットマシン
１０１  本体
１０２  前面扉
１１０  左リール
１１１  中リール
１１２  右リール
２１０  キャビネット
２２０  リールユニット
５００  基板収納ケース
５０３  主制御基板
５０４  コネクタ部
５１０  前部カバー部材
５２０  後部カバー部材
５２１  ベース部
５７０  副基板収納ケース
６００  演出装置
６２０  結合部材
６３０  挿着孔
６５０  案内孔
７００  ケース取付装置
７０８  収容部
７１０  ケース取付本体部
７１１  底面
７２０  コネクタカバー
７２１  隆起部
７２２  脚部
７２３  レール部
７３０  起立面
７４０  上縁面
７６０  ケース係止部
７６１  第１ケース係止孔
７６２  第２ケース係止孔
７７０  配線拘束具
７８０  係止舌片部
７９０  案内溝
７９３  壁部
８２０  凸部
９００  フラットケーブル
９１０  接続コネクタ
【図１】
0004497377.tif 000002
【図２】
0004497377.tif 000003
【図３】
0004497377.tif 000004
【図４】
0004497377.tif 000005
【図５】
0004497377.tif 000006
【図６】
0004497377.tif 000007
【図７】
0004497377.tif 000008
【図８】
0004497377.tif 000009
【図９】
0004497377.tif 000010
【図１０】
0004497377.tif 000011
【図１１】
0004497377.tif 000012
【図１２】
0004497377.tif 000013
【図１３】
0004497377.tif 000014
【図１４】
0004497377.tif 000015
【図１５】
0004497377.tif 000016
【図１６】
0004497377.tif 000017
【図１７】
0004497377.tif 000018
【図１８】
0004497377.tif 000019
【図１９】
0004497377.tif 000020
【図２０】
0004497377.tif 000021
【図２１】
0004497377.tif 000022
【図２２】
0004497377.tif 000023
【図２３】
0004497377.tif 000024
【図２４】
0004497377.tif 000025
【図２５】
0004497377.tif 000026
【図２６】
0004497377.tif 000027
【図２７】
0004497377.tif 000028
【図２８】
0004497377.tif 000029
【図２９】
0004497377.tif 000030
【図３０】
0004497377.tif 000031
【図３１】
0004497377.tif 000032